(57)【要約】【課題】セルラー・ネットワークにおける無線信号通信範囲試験などのネットワーク性能試験手順は、時間が掛かり、高価で、面倒でありがちであり、そして不適切な試験手順の結果として、時として無効な結果に至る場合がある。【解決手段】トリガーとなるイベントに対応して１つまたは複数のネットワーク性能関連指標の測定を実行するために、個人向け無線デバイスが利用される。トリガーとなるイベントは、ネットワーク要素によって個人向け無線デバイスへ送信されるメッセージである可能性がある。例えば、セルラー電話、またはＰＤＡなどのさまざまな個人向けのデバイスを個人向け無線デバイスとして例示することができる。セルラー信号通信範囲領域、信号空隙領域、および信号干渉領域などの、ネットワーク性能関連情報を導出するために測定を使用することができる。【選択図】図１
2015149750.tif 000002
【特許請求の範囲】
【請求項１】
第１のトリガーとなるイベントに対応してネットワーク性能関連指標の測定を実行するように、および前記トリガーとなるイベントを発出したネットワーク要素に前記測定の結果を送信するように
構成されることを特徴とするデバイス。
【発明の詳細な説明】
【技術分野】
【０００１】
本出願は、個人向け無線デバイスを使用してネットワークを試験するためのシステムおよび方法に関する。
【背景技術】
【０００２】
セルラー・ネットワークにおける無線信号通信範囲試験などのネットワーク性能試験は通常、ある種類の測定を実行するために専用化され（そして高価な）試験設備を使用する、訓練された技術者を載せた１台または複数台の車輌を派遣することによって実行される。理解可能であるように、この試験手順は、時間が掛かり、高価で、面倒でありがちであり、そして不適切な試験手順の結果として、時として無効な結果に至る場合がある。
【発明の概要】
【０００３】
トリガーとなるイベントに対応して１つまたは複数のネットワーク性能関連指標の測定を実行するために、個人向け無線デバイスを使用するためのシステムおよび方法が本明細書において開示される。一実施形態においてトリガーとなるイベントは、ネットワーク要素によって個人向け無線デバイスへ送信されるメッセージである。例えば、セルラー電話、またはＰＤＡ（Ｐｅｒｓｏｎａｌ  Ｄｉｇｉｔａｌ  Ａｓｓｉｓｔａｎｔ：携帯情報端末）などの個人向けのさまざまなデバイスを個人向け無線デバイスとして例示することができる。セルラー信号通信範囲領域、信号空隙（ｓｉｇｎａｌ  ｈｏｌｅ）領域、信号干渉問題などの、ネットワーク性能関連情報を導出するために測定を使用することができる。
【図面の簡単な説明】
【０００４】
ここに添付図面に関連して例として与えられた以下の説明から、より詳細な理解を得ることができる。
【図１】セルラー・ネットワークにおいて様々な個人向け無線デバイスが試験装置として動作することができる通信システムの第１の実施形態を示す図である。
【図２】次にコア・ネットワークおよび他のネットワークに通信的に結合された無線アクセス・ネットワークに、様々な個人向け無線デバイスが通信的に結合された第２のシステムの実施形態を示す図である。
【図３】個人向け無線デバイスの一例において含まれるいくつかの構成要素を示す図である。
【図４】次にコア・ネットワークおよび他のネットワークに通信的に結合された無線アクセス・ネットワークに、様々な個人向け無線デバイスが通信的に結合された第３のシステムの実施形態を示す図である。
【図５】次にコア・ネットワークおよび他のネットワークに通信的に結合された無線アクセス・ネットワークに、様々な個人向け無線デバイスが通信的に結合された第４のシステムの実施形態を示す図である。
【図６】次にコア・ネットワークおよび他のネットワークに通信的に結合された無線アクセス・ネットワークに、様々な個人向け無線デバイスが通信的に結合された第５のシステムの実施形態を示す図である。
【発明を実施するための形態】
【０００５】
本明細書において使用されるある単語、句、および用語は説明の便宜に基づき選択されたものであり、そして制限する方向にて解釈されるべきではないことを注意するべきである。その一例として、「個人向け無線デバイス（ｐｅｒｓｏｎａｌ  ｗｉｒｅｌｅｓｓ  ｄｅｖｉｃｅ）」という句は、当技術分野において周知されているより一般的な句「ＵＥ（Ｕｓｅｒ  Ｅｑｕｉｐｍｅｎｔ：ユーザー機器）」の代わりとして以下に何箇所かで使用される。それ故に、本明細書において使用される「個人向け無線デバイス」という句は単にＵＥの１つの例であり、そして以下で説明される実施形態が、ＵＥを構成するとして一般に理解されている他の様々な種別のデバイスに等しく適用できることが理解されるべきである。逆に本明細書において説明される様々な実施形態に具体的に適用される場合がある句の代わりとして、当技術分野において周知されているある句および略語が時として使用される。また、以下での説明は可能な実施方法のある例を提供するものであり、これらは単に例であり、出願の範囲を制限するものでは決してないことを注意するべきである。以下に説明のための実施形態の詳細な説明が記述されることになる。
【０００６】
様々な一般向けデバイスにできるだけ多くの特徴および機能を具現化することが製造者および消費者の両方によって一般に必要とされる。この傾向は、セルラー電話、ＰＤＡ（Ｐｅｒｓｏｎａｌ  Ｄｉｇｉｔａｌ  Ａｓｓｉｓｔａｎｔ：携帯情報端末）、コンピューター・タブレット（ｃｏｍｐｕｔｉｎｇ  ｔａｂｌｅｔ）、電子書籍端末（ｅ−ｒｅａｄｅｒ）、スマートフォン、ページャー、ラップトップ、ネットブック（ｎｅｔｂｏｏｋ）、パーソナル・コンピューター、および他のネットワーク化が可能なデバイスなどの、これらのデバイスをエンドユーザーにとって魅力的にするように多数のソフトウェア・アプリケーションおよび機能が提供される個人向けデバイスにおいて特に顕著である。しかしながらこのように遍在している個人向けデバイス（しばしばハンドヘルド型の、一般には本質的に携帯型であり、そして一般には何れか１つの特定の場所に束縛されない）はさらに、エンドユーザーのみではなく、他のエンティティ（例えばネットワーク運用者などの）にも同様に有益なある機能を実行するために利用することができる。本明細書において説明される実施形態において、個人向けデバイス、特に個人向け無線デバイスは、ネットワーク運用者および他の要員にネットワーク性能関連情報を提供するある試験機能を実行するように構成される。
【０００７】
本明細書において使用されるように、句「ＭＤＴ（Ｍｉｎｉｍｉｚａｔｉｏｎ  ｏｆ  Ｄｒｉｖｅ  Ｔｅｓｔ：ドライブ試験の省力化」は、例えば上で説明されたものなどの個人向け無線デバイスを使用して実行される試験を指すために一般に使用される。当技術分野において周知されているように、これらの個人向け無線デバイスはＵＥ（Ｕｓｅｒ  Ｅｑｕｉｐｍｅｎｔ：ユーザー機器）として知られているカテゴリに一般に該当する。また句「ＭＤＴ」は、ある種のネットワーク性能関連試験の実行のために使用される、通信プロトコル、システム構成、手順等の関連において本明細書において使用される。ＵＥを使用して実行されるそのような試験は、訓練された技術者が車輌にて走り回り、ネットワーク性能指標を測定するために専用化された試験機器を動作させる必要性を、完全には排除できないまでも、しばしば最小にすることができる。
【０００８】
本明細書において説明されるネットワーク性能関連試験は、例えばＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：統合無線通信システム）およびＬＴＥ（Ｌｏｎｇ  Ｔｅｒｍ  Ｅｖｏｌｕｔｉｏｎ）ネットワーク（ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）およびＥＵＴＲＡＮ（Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ）を含む）などの、多種多様なネットワークに適用することができる。
【０００９】
図１は、以下で説明される様々な実施形態を実施するために使用することができる第１の代表的通信システム１０を示す。通信システム１０は多くの基地局を含み、その内の４つが説明の目的のために示されている。基地局１１４ａは、セルラー通信範囲領域１５に対して無線通信範囲を提供し、一方基地局１０４ｂ、１０４ｃ、および１０４ｄはそれぞれセルラー通信範囲領域２０、２５、および３０に対して無線通信範囲を提供する。図１中にはまた、いくつかのＵＥが個人向け無線デバイス１０２ａ、１０２ｂ、および１０２ｃの形体にて示される。個人向け無線デバイス１０２ａは、上りリンクおよび下りリンクを含む無線リンクを使用して基地局１１４ａと通信する。個人向け無線デバイス１０２ａから基地局１１４ａに向かって送信される無線情報は、上りリンク上にて伝搬され、一方基地局１１４ａから個人向け無線デバイス１０２ａへ逆方向に伝わる情報は、下りリンク上にて伝搬される。
【００１０】
個人向け無線デバイス１０２ｂおよび個人向け無線デバイス１０２ｃは同様に、個々の上りリンクおよび下りリンクを使用してそれらの個別の基地局１１４ｂと通信する。個人向け無線デバイスが１つのセルラー通信範囲領域から隣接するセルラー通信範囲領域へ移動すると、ハンドオーバー動作が行われ、個人向け無線デバイスが隣接しているセルラー通信範囲領域において動作している基地局との新しい無線リンクを確立するように自動的に構成される。別の無線形式を使用して様々な個人向け無線デバイスが動作することができる。例えば個人向け無線デバイス１０２ｂを単一（ｓｉｎｇｌｅ）トーン・チャンネルに割り当てることができ、一方個人向け無線デバイス１０２ｃをマルチ（ｍｕｌｔｉｐｌｅ）・トーン・チャンネルに割り当てることができる。以下にさらに詳細に説明される方法にて、ネットワーク試験のために１つまたは複数の個人向け無線デバイス１０２ａ、１０２ｂ、および１０２ｃを使用することができる。
【００１１】
ここで図２に注意を向けると、次にコア・ネットワーク１０６および他のネットワークに通信的に結合されるＲＡＮ（Ｒａｄｉｏ  Ａｃｃｅｓｓ  Ｎｅｔｗｏｒｋ：無線アクセス・ネットワーク）１０４に、様々な個人向け無線デバイス１０２ａ、１０２ｂ、１０２ｃ、１０２ｄが通信的に結合される、第２のシステム実施形態が示される。通信システム１００は、音声、データ、ビデオ、メッセージング、ブロードキャスト等などのコンテンツを、複数の無線ユーザーに提供する多重アクセス・システムであることができる。通信システム１００は、無線帯域幅を含むシステム資源の共有により複数の無線ユーザーがそのようなコンテンツにアクセスすることを可能にすることができる。通信システム１００は例えば、ＣＤＭＡ（Ｃｏｄｅ  Ｄｉｖｉｓｉｏｎ  Ｍｕｌｔｉｐｌｅ  Ａｃｃｅｓｓ：符号分割多元接続）、ＴＤＭＡ（Ｔｉｍｅ  Ｄｉｖｉｓｉｏｎ  Ｍｕｌｔｉｐｌｅ  Ａｃｃｅｓｓ：時分割多元接続）、ＦＤＭＡ（Ｆｒｅｑｕｅｎｃｙ  Ｄｉｖｉｓｉｏｎ  Ｍｕｌｔｉｐｌｅ  Ａｃｃｅｓｓ：周波数分割多元接続）、ＯＦＤＭＡ（Ｏｒｔｈｏｇｏｎａｌ  ＦＤＭＡ：直交ＦＤＭＡ）、ＳＣ−ＦＤＭＡ（Ｓｉｎｇｌｅ−Ｃａｒｒｉｅｒ  ＦＤＭＡ：単一キャリアＦＤＭＡ）、および同様のものなどの、１つまたは複数のチャンネル・アクセス方法を採用することができる。
【００１２】
図２において示されるように通信システム１００は、個人向け無線デバイス１０２ａ、１０２ｂ、１０２ｃ、１０２ｄ、ＲＡＮ１０４、コア・ネットワーク１０６、ＰＳＴＮ（Ｐｕｂｌｉｃ  Ｓｗｉｔｃｈｅｄ  Ｔｅｌｅｐｈｏｎｅ  Ｎｅｔｗｏｒｋ：公衆電話交換ネットワーク）１０８、インターネット１１０、および他のネットワーク１１２を含み、開示された実施形態が任意の数の個人向け無線デバイス、基地局、ネットワーク、および／またはＮＥ（Ｎｅｔｗｏｒｋ  Ｅｌｅｍｅｎｔ：ネットワーク要素）を想定することが理解されるであろう。個人向け無線デバイス１０２ａ、１０２ｂ、１０２ｃ、１０２ｄのそれぞれは、無線環境において動作しそして／または通信するように構成された何れの種別のユーザー機器でもあることができる。
【００１３】
通信システム１００は、いくつかのネットワーク要素を含む。示されるように、ＲＡＮ１０４の構成要素であるこれらのネットワーク要素の内の２つが、第１の基地局１１４ａおよび第２の基地局１１４ｂである。基地局１１４ａ、１１４ｂのそれぞれは、個人向け無線デバイス１０２ａ、１０２ｂ、１０２ｃ、１０２ｄの内の少なくとも１つと無線にてインターフェイスし、コア・ネットワーク１０６、インターネット１１０、および／またはネットワーク１１２などの、１つまたは複数の通信ネットワークへのアクセスを容易にするように構成された、何れの種別のデバイスをも含むことができる。基地局１１４ａ、１１４ｂは例として、ＢＴＳ（Ｂａｓｅ  Ｔｒａｎｓｃｅｉｖｅｒ  Ｓｔａｔｉｏｎ：基地局）、ノードＢ（Ｎｏｄｅ−Ｂ）、ｅノードＢ（ｅＮｏｄｅ  Ｂ）、ホーム・ノードＢ、ホームｅノードＢ、サイトコントローラ、ＡＰ（Ａｃｃｅｓｓ  Ｐｏｉｎｔ：アクセス・ポイント）、無線ルーター、および同様なものであることができる。基地局１１４ａ、１１４ｂがそれぞれ単一の要素として表現されているが、基地局１１４ａ、１１４ｂは、１つまたは複数の別のＲＡＮに位置するネットワーク要素を含む、任意の数の相互接続されたネットワーク要素をも含むことができることが理解されるであろう。
【００１４】
ＲＡＮ１０４は、追加的基地局、および／または例えば無線送受信機、ＢＳＣ（Ｂａｓｅ  Ｓｔａｔｉｏｎ  Ｃｏｎｔｒｏｌｌｅｒ：基地局コントローラ）、ＲＮＣ（Ｒａｄｉｏ  Ｎｅｔｗｏｒｋ  Ｃｏｎｔｒｏｌｌｅｒ：無線ネットワークコントローラ）、リレー・ノードなどの、本明細書においてＮＥともまた呼ぶことができる要素を含むことができる。基地局１１４ａおよび／または基地局１１４ｂは、セル（上で図１を使用して説明されたように）と呼ぶことができる特定の地理的な領域の中にて無線信号を送信しそして／または受信するように構成することができる。それぞれのセルをセル・セクターとして周知されるものに分割することができる。基地局１１４ａに関連付けられたセルを例えば、３つのセル・セクターに分割することができる。したがって一実施形態において、基地局１１４ａは３つ（すなわちセルのそれぞれのセル・セクターあたり１つ）の送受信機を含むことができる。別の実施形態においては、基地局１１４ａは複数のＭＩＭＯ（Ｍｕｌｔｉｐｌｅ−Ｉｎｐｕｔ  Ｍｕｌｔｉｐｌｅ−Ｏｕｔｐｕｔ：多入力多出力）技術を採用することができ、したがってセルのそれぞれのセクターに対して複数の送受信機を利用することができる。
【００１５】
基地局１１４ａ、１１４ｂの一部である１つまたは複数のネットワーク要素は、何れかの適切な無線通信リンク（例えばＲＦ（Ｒａｄｉｏ  Ｆｒｅｑｕｅｎｃｙ：無線周波数）、マイクロ波、ＩＲ（ＩｎｆｒａＲｅｄ：赤外線）、ＵＶ（ＵｌｔｒａＶｉｏｌｅｔ：紫外線）、可視光等）であることができる無線インターフェイス１１６上にて個人向け無線デバイス１０２ａ、１０２ｂ、１０２ｃ、１０２ｄの内の１つまたは複数と通信することができる。無線インターフェイス１１６は、任意の適切なＲＡＴ（Ｒａｄｉｏ  Ａｃｃｅｓｓ  Ｔｅｃｈｎｏｌｏｇｙ：無線アクセス技術）を使用して確立することができる。
【００１６】
より詳しく述べると、上で述べたように、通信システム１００は、複数のアクセス・システムであることができ、ＣＤＭＡ、ＴＤＭＡ、ＦＤＭＡ、ＯＦＤＭＡ、ＳＣ−ＦＤＭＡ、および同様のものなどの、１つまたは複数のチャンネル・アクセス方式を採用することができる。ＲＡＮ１０４における基地局１１４ａおよび個人向け無線デバイス１０２ａ、１０２ｂ、１０２ｃは例えば、ＷＣＤＭＡ（登録商標）（Ｗｉｄｅｂａｎｄ  ＣＤＭＡ：広帯域ＣＤＭＡ）を使用して無線インターフェイス１１６を確立することができる、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：統合無線通信システム）ＵＴＲＡ（ＵＭＴＳ  Ｔｅｒｒｅｓｔｒｉａｌ  Ｒａｄｉｏ  Ａｃｃｅｓｓ：ユニバーサル地上無線アクセス）などの、無線技術を実施することができる。ＷＣＤＭＡは、ＨＳＰＡ（Ｈｉｇｈ−Ｓｐｅｅｄ  Ｐａｃｋｅｔ  Ａｃｃｅｓｓ：高速パケット・アクセス）および／またはＨＳＰＡ＋（Ｅｖｏｌｖｅｄ  ＨＳＰＡ）などの、通信プロトコルを含むことができる。ＨＳＰＡは、ＨＳＤＰＡ（Ｈｉｇｈ−Ｓｐｅｅｄ  Ｄｏｗｎｌｉｎｋ  Ｐａｃｋｅｔ  Ａｃｃｅｓｓ：高速下りリンク・パケット・アクセス）および／またはＨＳＵＰＡ（Ｈｉｇｈ−Ｓｐｅｅｄ  Ｕｐｌｉｎｋ  Ｐａｃｋｅｔ  Ａｃｃｅｓｓ：高速上りリンク・パケット・アクセス）を含むことができる。
【００１７】
別の実施形態においては、基地局１１４ａおよび個人向け無線デバイス１０２ａ、１０２ｂ、１０２ｃは、ＬＴＥ（Ｌｏｎｇ  Ｔｅｒｍ  Ｅｖｏｌｕｔｉｏｎ）および／またはＬＴＥ−Ａ（ＬＴＥ−Ａｄｖａｎｃｅｄ）を使用して無線インターフェイス１１６を確立することができる、Ｅ−ＵＴＲＡ（Ｅｖｏｌｖｅｄ  ＵＭＴＳ  Ｔｅｒｒｅｓｔｒｉａｌ  Ｒａｄｉｏ  Ａｃｃｅｓｓ）などの、無線技術を実施することができる。
【００１８】
他の実施形態においては、基地局１１４ａおよび個人向け無線デバイス１０２ａ、１０２ｂ、１０２ｃは、ＩＥＥＥ８０２．１６（すなわちＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：無線都市域規格））、ＣＤＭＡ２０００、ＣＤＭＡ２０００  １Ｘ、ＣＤＭＡ２０００  ＥＶ−ＤＯ、ＩＳ−２０００（Ｉｎｔｅｒｉｍ  Ｓｔａｎｄａｒｄ２０００）、ＩＳ−９５（Ｉｎｔｅｒｉｍ  Ｓｔａｎｄａｒｄ９５）、ＩＳ−８５６（Ｉｎｔｅｒｉｍ  Ｓｔａｎｄａｒｄ８５６）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）、ＧＳＭ  ＥＤＧＥ（ＧＥＲＡＮ）、および同様のものなどの、無線技術を実施することができる。
【００１９】
図２における基地局１１４ｂは、例えば無線ルーター、ホーム・ノードＢ、ホームｅノードＢ、または例えばアクセス・ポイントなどの、様々なネットワーク要素を含むことができ、そして勤務地、ホーム（ｈｏｍｅ：家庭）、乗り物、キャンパス、および同様のものなどの、局所化された領域において、無線の接続性を容易にするために任意の適切なＲＡＴを利用することができる。一実施形態において、基地局１１４ｂおよび個人向け無線デバイス１０２ｃ、１０２ｄは、ＷＬＡＮ（Ｗｉｒｅｌｅｓｓ  Ｌｏｃａｌ  Ａｒｅａ  Ｎｅｔｗｏｒｋ：無線ローカル・エリア・ネットワーク）を確立するために、ＩＥＥＥ８０２．１１などの無線技術を実施することができる。別の実施形態においては、基地局１１４ｂおよび個人向け無線デバイス１０２ｃ、１０２ｄが、ＷＰＡＮ（Ｗｉｒｅｌｅｓｓ  Ｐｅｒｓｏｎａｌ  Ａｒｅａ  Ｎｅｔｗｏｒｋ：無線個人領域ネットワーク）を確立するために、ＩＥＥＥ８０２．１５などの無線技術を実施することができる。さらに別の実施形態においては、基地局１１４ｂおよび個人向け無線デバイス１０２ｃ、１０２ｄが、ピコセル（ｐｉｃｏｃｅｌｌ）またはフェムトセル（ｆｅｍｔｏｃｅｌｌ）を確立するために、セルラー準拠のＲＡＴ（例えばＷＣＤＭＡ、ＣＤＭＡ２０００、ＧＳＭ、ＬＴＥ、ＬＴＥ−Ａ等）を利用することができる。図２において示されるように、基地局１１４ｂはインターネット１１０に直接接続を持つことができる。したがって基地局１１４ｂは、インターネット１１０にコア・ネットワーク１０６を介してアクセスできる必要はない。
【００２０】
ＲＡＮ１０４は、個人向け無線デバイス１０２ａ、１０２ｂ、１０２ｃ、１０２ｄの内の１つまたは複数に対して、音声、データ、アプリケーション、および／またはＶｏＩＰ（Ｖｏｉｃｅ  Ｏｖｅｒ  Ｉｎｔｅｒｎｅｔ  Ｐｒｏｔｏｃｏｌ）サービスを提供するように構成された任意の種別のネットワークであることができる、コア・ネットワーク１０６と通信状態にあることができる。コア・ネットワーク１０６は例えば、呼制御、課金サービス、移動体位置を基にするサービス、プリペイドの呼処理、インターネット接続性、ビデオ分配等を提供し、そして／またはユーザー認証などの高水準のセキュリティ機能を実行することができる。図２には示されないが、ＲＡＮ１０４および／またはコア・ネットワーク１０６は、ＲＡＮ１０４と同一のＲＡＴまたは別のＲＡＴを採用する他のＲＡＮと直接的、または間接的な通信状態にあることができることが理解されるであろう。例えば、Ｅ−ＵＴＲＡ無線技術を利用できるＲＡＮ１０４に接続されることに加えて、コア・ネットワーク１０６は、ＧＳＭ無線技術を採用する別のＲＡＮ（示されない）ともまた通信状態にあることができる。
【００２１】
コア・ネットワーク１０６はまた、個人向け無線デバイス１０２ａ、１０２ｂ、１０２ｃ、１０２ｄが、ＰＳＴＮ１０８、インターネット１１０、および／または他のネットワーク１１２にアクセスするためのゲートウェイとして機能することができる。ＰＳＴＮ１０８は、ＰＯＴＳ（Ｐｌａｉｎ  Ｏｌｄ  Ｔｅｌｅｐｈｏｎｅ  Ｓｅｒｖｉｃｅ：基本電話サービス）を提供する回線交換電話ネットワークを含むことができる。インターネット１１０は、ＴＣＰ／ＩＰインターネット・プロトコル群におけるＴＣＰ（Ｔｒａｎｓｍｉｓｓｉｏｎ  Ｃｏｎｔｒｏｌ  Ｐｒｏｔｏｃｏｌ：伝送制御プロトコル）、ＵＤＰ（Ｕｓｅｒ  Ｄａｔａｇｒａｍ  Ｐｒｏｔｏｃｏｌ：ユーザー・データグラム・プロトコル）、およびＩＰ（Ｉｎｔｅｒｎｅｔ  Ｐｒｏｔｏｃｏｌ：インターネット・プロトコル）などの、共通的通信プロトコルを使用する相互接続されたコンピューター・ネットワークおよびデバイスのグローバルなシステムを含むことができる。ネットワーク１１２は、他のサービス・プロバイダーが所有しそして／または運用する有線のまたは無線の通信ネットワークを含むことができる。ネットワーク１１２は例えば、ＲＡＮ１０４と同一のＲＡＴまたは別のＲＡＴを採用することができる、１つまたは複数のＲＡＮに接続された別のコア・ネットワークを含むことができる。
【００２２】
通信システム１００における個人向け無線デバイス１０２ａ、１０２ｂ、１０２ｃ、１０２ｄの一部またはすべてが、マルチ・モード能力を含むことができる。すなわち、個人向け無線デバイス１０２ａ、１０２ｂ、１０２ｃ、１０２ｄが異なった無線リンク上にて異なった無線ネットワークと通信するための複数の送受信機を含むことができる。例えば図２に示された個人向け無線デバイス１０２ｃは、セルラー準拠の無線技術を採用することができる基地局１１４ａ、およびＩＥＥＥ８０２無線技術を採用することができる基地局１１４ｂと通信するように構成することができる。
【００２３】
図３は、個人向け無線デバイス１０２の一例に含まれるいくつかの構成要素を示す。図３に示されるように、個人向け無線デバイス１０２（１０２ａ、１０２ｂ、１０２ｃ等として他の番号にて表示された任意の１つのデバイスを表す）は、１つまたは複数のバスを通して互いに通信的に結合された、プロセッサ１１８、送受信機１２０、信号送受信要素１２２、スピーカー／マイクロホン１２４、キーパッド１２６、表示器／タッチパッド１２８、非リムーバブルメモリ１０６、リムーバブルメモリ１３２、電源１３４、ＧＰＳ（Ｇｌｏｂａｌ  Ｐｏｓｉｔｉｏｎｉｎｇ  Ｓｙｓｔｅｍ：全地球側位システム）チップセット１３６、測定回路１３９、および他の周辺機器１３８を含む。実施形態に矛盾しないままで、個人向け無線デバイス１０２は以上の要素の任意の部分的組み合わせを含むことができることが理解されるであろう。
【００２４】
プロセッサ１１８は、汎用プロセッサ、専用プロセッサ、従来型プロセッサ、ＤＳＰ（Ｄｉｇｉｔａｌ  Ｓｉｇｎａｌ  Ｐｒｏｃｅｓｓｏｒ：デジタル信号プロセッサ）、複数のマイクロプロセッサ、ＤＳＰコアに関連付けられた１つまたは複数のマイクロプロセッサ、コントローラ、マイクロコントローラ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途集積回路）、ＦＰＧＡ（Ｆｉｅｌｄ  Ｐｒｏｇｒａｍｍａｂｌｅ  Ｇａｔｅ  Ａｒｒａｙ）回路、他の何れかの種別のＩＣ（Ｉｎｔｅｇｒａｔｅｄ  Ｃｉｒｃｕｉｔ：集積回路）、状態機械、および同様なものであることができる。プロセッサ１１８は、信号符号化、データ処理、電源制御、入／出力処理、および／または個人向け無線デバイス１０２が無線環境において動作することを可能にする他の如何なる機能性をも実行することができる。プロセッサ１１８は、信号送／受信要素１２２に結合することができる、送受信機１２０と結合することができる。図３ではプロセッサ１１８および送受信機１２０を別々の構成要素として表現しているが、プロセッサ１１８および送受信機１２０を１つの電子パッケージまたはチップに一緒に集積することができることが理解されるであろう。
【００２５】
信号送／受信要素１２２は、無線インターフェイス１１６上にて、基地局（例えば基地局１１４ａ）との間で、信号を送信または受信するように構成される。例えば一実施形態において信号送／受信要素１２２は、ＲＦ信号を送信しそして／または受信するように構成されたアンテナであることができる。別の実施形態においては信号送／受信要素１２２は例えば、ＩＲ、ＵＶ、または可視光信号を送信しそして／または受信するように構成されたエミッタ／検出器であることができる。さらに別の実施形態においては信号送／受信要素１２２は、ＲＦおよび光信号の両方を送信しそして受信するように構成することができる。信号送／受信要素１２２は、無線信号の任意の組み合わせを送信しそして／または受信するように構成することができることが理解されるであろう。
【００２６】
さらに加えて、図３においては信号送／受信要素１２２が単一の要素として表現されているが、個人向け無線デバイス１０２は任意の数の信号送／受信要素１２２を含むこともできる。より詳しく述べると、個人向け無線デバイス１０２はＭＩＭＯ技術を採用することができる。したがって、一実施形態においては個人向け無線デバイス１０２は、無線インターフェイス１１６上にて無線信号を送信しそして受信するために、２つまたはそれ以上の送／受信要素１２２（例えば複数アンテナ）を含むことができる。
【００２７】
送受信機１２０は、信号送／受信要素１２２によって送信されるべき信号を変調し、そして送／受信要素１２２によって受信された信号を復調するように構成することができる。上で述べたように、個人向け無線デバイス１０２はマルチ・モード能力を持つことができる。したがって、例えばＵＴＲＡおよびＩＥＥＥ８０２．１１などの、複数のＲＡＴを介して個人向け無線デバイス１０２が通信することを可能にするために、送受信機１２０は複数の送受信機を含むことができる。
【００２８】
個人向け無線デバイス１０２のプロセッサ１１８は、スピーカー／マイクロホン１２４、キーパッド１２６、および／または表示器／タッチパッド１２８（例えば、ＬＣＤ（Ｌｉｑｕｉｄ  Ｃｒｙｓｔａｌ  Ｄｉｓｐｌａｙ：液晶表示装置）表示ユニットまたはＯＬＥＤ（Ｏｒｇａｎｉｃ  Ｌｉｇｈｔ−Ｅｍｉｔｔｉｎｇ  Ｄｉｏｄｅ：有機発光ダイオード）表示ユニット）に結合することができ、そしてこれらからユーザー入力データを受信することができる。プロセッサ１１８はまた、スピーカー／マイクロホン１２４、キーパッド１２６、および／または表示器／タッチパッド１２８にユーザー・データを出力することができる。さらに加えて、プロセッサ１１８は、コンピューターにて読み取り可能な記憶媒体中に格納された実行可能命令にアクセスすることができる。プロセッサ１１８は、個人向け無線デバイス１０２の様々な機能を実施するためにこれらの命令を実行することができる。脱着不可メモリ１０６および／または脱着可能メモリ１３２などの要素を含む、コンピューターにて読み取り可能な記憶媒体は、様々な種別のデータおよび他のデジタル情報を格納するためにさらに使用することができる。脱着不可メモリ１０６は、ＲＡＭ（Ｒａｎｄｏｍ−Ａｃｃｅｓｓ  Ｍｅｍｏｒｙ：ランダム・アクセス・メモリ）、ＲＯＭ（Ｒｅａｄ−Ｏｎｌｙ  Ｍｅｍｏｒｙ：読み出し専用メモリ）、ハード・ディスク、または他の任意の種別のメモリ記憶デバイスを含むことができる。脱着可能メモリ１３２は、ＳＩＭ（Ｓｕｂｓｃｒｉｂｅｒ  Ｉｄｅｎｔｉｔｙ  Ｍｏｄｕｌｅ：利用者識別モジュール）カード、メモリ・スティック、ＳＤ（Ｓｅｃｕｒｅ  Ｄｉｇｉｔａｌ）メモリ・カード、および同様なものを含むことができる。他の実施形態において、プロセッサ１１８は、物理的には個人向け無線デバイス１０２上ではなく、サーバーまたはホーム・コンピューター（示されない）上などに位置するメモリとの間で情報にアクセスし、そしてデータを格納することができる。
【００２９】
プロセッサ１１８は、電源１３４から電力を受け取ることができ、そして個人向け無線デバイス１０２中の他の構成要素へ電力を分配しそして／または制御するように構成することができる。電源１３４は、個人向け無線デバイス１０２に電力を供給するための適切な任意のデバイスであることができる。例えば電源１３４は、１つまたは複数の乾電池（例えばＮｉＣｄ（Ｎｉｃｋｅｌ−Ｃａｄｍｉｕｍ：ニッケル・カドミウム）、ＮｉＺｎ（Ｎｉｃｋｅｌ−Ｚｉｎｃ：ニッケル亜鉛）、ＮｉＭＨ（Ｎｉｃｋｅｌ  Ｍｅｔａｌ  Ｈｙｄｒｉｄｅ：ニッケル金属水素化物）、Ｌｉ−ｉｏｎ（Ｌｉｔｈｉｕｍ−ｉｏｎ：リチウム・イオン）等）、太陽電池、燃料電池、および同様なものを含むことができる。
【００３０】
プロセッサ１１８はまた、ＧＰＳチップセット１３６と結合することができ、個人向け無線デバイス１０２のその時点の位置に関する位置情報（例えば経度および緯度）を提供するようにそれを構成することができる。ＧＰＳチップセット１３６からの情報に加えて、またはその代わりに、個人向け無線デバイス１０２は基地局（例えば基地局１１４ａ、１１４ｂ）から位置情報を無線インターフェイス１１６上にて受信し、そして／または２つまたはそれ以上の近傍の基地局から受信される信号のタイミングに基づきその位置を決定することができる。個人向け無線デバイス１０２が、実施形態に矛盾しないままで、適切な任意の位置同定法によって位置情報を取得することができることが理解されるであろう。この関連における追加的情報が以下に提供される。
【００３１】
プロセッサ１１８はまた、付加的な機能、機能性、および／または有線または無線の接続性を提供する１つまたは複数のソフトウェアならびに／またはハードウェア・モジュールを含むことができる他の周辺機器１３８と結合することができる。周辺機器１３８は例えば、加速度計、電子コンパス、衛星送受信機、デジタル・カメラ（写真またはビデオ用）、ＵＳＢ（Ｕｎｉｖｅｒｓａｌ  Ｓｅｒｉａｌ  Ｂｕｓ）ポート、振動デバイス、テレビ送受信機、ヘッドホン（ｈａｎｄｓ  ｆｒｅｅ  ｈｅａｄｓｅｔ）、Ｂｌｕｅｔｏｏｔｈ（登録商標）モジュール、ＦＭ（Ｆｒｅｑｕｅｎｃｙ  Ｍｏｄｕｌａｔｅｄ：周波数変調用）無線ユニット、デジタル音楽プレーヤー、メディア・プレーヤー、テレビ・ゲーム・プレーヤー・モジュール、インターネット・ブラウザー、および同様なものを含むことができる。
【００３２】
測定回路１３９は、例えば信号強度、信号干渉、雑音レベル、および周波数パラメータなどの、様々な測定を実行するために使用されるハードウェア回路であることができる。そういうものとして、測定回路１３９は様々なハードウェア構成要素および回路を組み込むことができる。測定回路１３９はさらに、様々なファームウェアおよびソフトウェア・プログラムを実行するために、プロセッサ１１８およびメモリなどの他の要素と連動して協調的に動作することができる。
【００３３】
トリガーとなるイベントに対応してネットワーク性能関連指標を測定するようにプロセッサ１１８を構成することができる。一実施形態においては、指標の測定を要求するＮＥから、無線インターフェイス１１６および信号送／受信要素１２２を介して受信されるメッセージの形体にてトリガーとなるイベントを実施することができる。別の実施形態においてはトリガーとなるイベントは、１つまたは複数のネットワーク性能関連指標の測定が必要とされる位置として特定される位置に個人向け無線デバイス１０２がいるという判定であることができる。１つまたは複数の規則に従って、要求するＮＥまたは別のＮＥに、測定の結果（あるいはまた、本明細書においてはＭＤＴ結果と呼ばれる）を送信するようにプロセッサ１１８を構成することができる。１つまたは複数の規則は例えば、何れの特定の公衆地上移動体ネットワーク（ｐｕｂｌｉｃ  ｌａｎｄ  ｍｏｂｉｌｅ  ｎｅｔｗｏｒｋ：ＰＬＭＮ）がまたは何れの特定のＮＥが、測定の結果を受信するべきかを特定することができる。
【００３４】
一実施形態においては、個人向け無線デバイスがＣｏｎｎｅｃｔｅｄ（接続済み）動作モード（ｍｏｄｅ  ｏｆ  ｏｐｅｒａｔｉｏｎ）にあるとき、手っ取り早い結果（ｆａｓｔ  ｒｅｓｕｌｔ）を提供するために個人向け無線デバイスが測定を実行する。この実施形態においては、１つまたは複数のＮＥが、１つまたは複数の個人向け無線デバイスが測定を実行するように要求することができ、そしてその１つまたは複数の個人向け無線デバイスが、実質的に即時のおよび／または実質的に同時の方法により要求に応答する。
【００３５】
別の実施形態においては個人向け無線デバイスは、個人向け無線デバイスがＩｄｌｅ（待機）動作モードにあるとき実行されるログ型測定（ｌｏｇｇｅｄ−ｔｙｐｅ  ｍｅａｓｕｒｅｍｅｎｔ）として測定を行う。この測定モードにおいては個人向け無線デバイスは、個人向け無線デバイスがＩｄｌｅモードであるとき必要な方法にて測定を実行するために、個人向け無線デバイスがＣｏｎｎｅｃｔｅｄ動作モードにあるとき要求された動作に関係する構成設定情報を受信することができる。Ｉｄｌｅモード測定のために個人向け無線デバイスを構成するためにＲＲＣ（Ｒａｄｉｏ  Ｒｅｓｏｕｒｃｅ  Ｃｏｎｔｒｏｌ  Ｌａｙｅｒ：無線資源制御レイヤー）の手順を使用することができる。この目的のために例えば、ＲＲＣＣｏｎｎｅｃｔｉｏｎＲｅｌｅａｓｅメッセージおよび／またはＲＲＣＣｏｎｎｅｃｔｉｏｎＲｅｃｏｎｆｉｇｕｒａｔｉｏｎメッセージを使用することができる。待機動作モードは一般に、個人向け無線デバイスが、人が通話をするために、もしくは例えば携帯電話メール（ｔｅｘｔｉｎｇ）、電子メール、ウェブ・アクセスなどの、非電話関連の個人的行動のための何れかに使用していないか、および／または個人向け無線デバイスが、非ＭＤＴ関連行動においてＮＥと能動的に通信中（例えば、セルのＮＥとのハンドシェイク中、ＯＡＭ（Ｏｐｅｒａｔｉｏｎｓ、Ａｄｍｉｎｉｓｔｒａｔｉｏｎ  ＆  Ｍａｉｎｔｅｎａｎｃｅ：保守・運用管理）信号送信／受信中、等）ではない状態にあることを指す。
【００３６】
ログ型測定に対しては、接続済み動作モードにあるときには、個人向け無線デバイスが１つのセルにあるように構成することができ、そして次にその後の１回または複数回のＩｄｌｅ動作モードの間に、測定を実行することが可能である。ＩＤＬＥ−＞ＣＯＮＮ−＞ＩＤＬＥの状態遷移を介して複数の待機期間に割り込むことができる。測定の結果は、要求が為されたセルにおいて報告することができるか、または個人向け無線デバイスが１つのセルから別のセルに移動しているなら、もう片方のセルにおいて報告することができるかの何れかである。
【００３７】
ログ型測定を実行するための構成設定情報は、例えば１つまたは複数のセルの識別子、局所アクセス領域、トランスポート領域、および／またはそこで測定を実行するデフォルトＰＬＭＮなどの、地理的領域範囲パラメータを含むことができる。個人向け無線デバイスは、ＭＤＴが初めに構成されたのと同一のＰＬＭＮに属するセルに、または他のセルにログされたＭＤＴ結果を報告することができる。
【００３８】
ログ型測定を実行するための構成設定情報はまた、測定および／または測定のロギングをいつ開始または停止するかを示す起動／停止（ａｃｔｉｖａｔｉｏｎ／ｄｅａｃｔｉｖａｔｉｏｎ）パラメータを指定することができる。パラメータには、位置決め能力、アクセス・クラスおよび／または測定確率因子など、測定を起動するためのトリガーとなるパラメータを含むことができる。例えば個人向け無線デバイスは、測定起動処理として１つの確率因子を使用することができ、そこでは個人向け無線デバイスがランダムな数を選択し基準値に対して比較し、そしてその比較結果に基づき測定を開始する。構成設定情報はまた、例えばＳ−パラメータなどの、信号閾値を含むことができる。測定を開始するための参照評価基準としてその閾値を使用することができる。構成設定情報はさらに、ブロードキャスト信号上にて伝達された公開情報を含むことができる。この情報は、複数の個人向け無線デバイス上の測定動作を停止させるために使用することができる。
【００３９】
個人向け無線デバイスがＩｄｌｅモードにあるとき、個人向け無線デバイスが再びＣｏｎｎｅｃｔｅｄモードに遷移（例えば着信呼または発信呼への関与などのユーザー行動の結果として）するまで、個人向け無線デバイスにログされた測定データを保持することができる。ＲＲＣ確立においては、個人向け無線デバイスはＲＲＣＣｏｎｎｅｃｔｉｏｎＳｅｔｕｐＣｏｍｐｌｅｔｅメッセージ中に表示を印し、ログされたＭＤＴデータが報告するために利用可能であることをｅＮＢ（ｅｖｏｌｖｅｄ  Ｎｏｄｅ  Ｂ：ｅノードＢ）に示すことができる。ｅＮＢは一般に適切な時限を選択し、ログされたＭＤＴデータをｅＮＢに送信することができることを個人向け無線デバイスに通知することができる。そのような許可を受信すると、次に個人向け無線デバイスはＭＤＴ報告をｅＮＢに送信することができる。
【００４０】
レガシーＲ８／Ｒ９  ｅＮＢなどのいくつかのノードは、ＭＤＴ報告または用法を支援することができないため、個人向け無線デバイスはログされたＭＤＴを常に報告できるというわけではない。この状況においては、例えば他のシステム要素にアクセスすることにより、またはあるデフォルトの規則を使用することによるなどの、代替の手段によりＭＤＴ結果を獲得することができるという表示をＵＥは送信することができる。
【００４１】
ＭＤＴ測定は、例えば下りリンク・パイロット測定（ＲＳＲＰ、ＲＳＲＱ）、サービング・セル（ｓｅｒｖｉｎｇ  ｃｅｌｌ）信号が閾値より低下（または超過）しているかを確認するための試験、送信電力ヘッドルームが閾値より低下しているか（定期的に測定して、またはｄｌｐａｔｈｌｏｓｓＣｈａｎｇｅより急激に変化した場合）を確認するための試験、ランダムなアクセス障害、ページング・チャンネルの障害、ブロードキャスト・チャンネルの障害、無線リンク障害報告（位置および速度、原因符号障害、ＲＡＣＨ障害またはＲＬＣ障害に関する報告）などの、様々なネットワーク性能関連指標に対処することができる。
【００４２】
ｅＮＢは、例えばその時点で接続済みの個人向け無線デバイス、特定の加入者ＳＰＩＤを持つ個人向け無線デバイス、個人向け無線デバイスのＩＤ、１つまたは複数の個人向け無線デバイスのその時点の位置、個人向け無線デバイスの能力、に基づき特有な個人向け無線デバイスを選択し、ＭＤＴを実行することができる。
【００４３】
ＭＤＴの機能性を含むＭＤＴに特有な制御機構には、例えばログされたＭＤＴ測定構成設定の検証および容認、ログされたＭＤＴ報告の検証および容認、ＭＤＴ報告の相互対話および手順の詳細、１つまたは複数の個人向け無線デバイスが、望ましくないネットワーク・トラフィック（例えば過度のまたは不要なネットワーク・トラフィック）を引き起こさない範囲で、ＭＤＴログ済みデータを報告できる、ネットワーク位置の態様（例えばセル位置、デバイス位置等）、およびＩｄｌｅモードにおけるＬｏｇｇｅｄ−型ＭＤＴ測定に関する測定の起動のための地理的な位置検出、を組み込むことができる。
【００４４】
以下の説明のいくつかの部分において、用語「ＵＥ」が個人向け無線デバイスに代わって使用されている。これは上で述べられたように、便宜を図る目的のためのものであり、そしてこの出願の様々な部分にて言及された個人向け無線デバイスを含む様々な種別のデバイスを包含する。
【００４５】
ＭＤＴを支援するＵＥが動作中であるときに、精査されていない（ｕｎ−ｓｃｒｕｔｉｎｉｚｅｄ）ＭＤＴコマンドおよび構成設定要求により、誤った場所または誤ったネットワークにおいてＵＥが測定を実行してしまう結果をもたらす場合がある。ＵＥは、要求を支援するためのオプションに基づきＭＤＴ要求および構成設定情報を保存できる場合がある。ＵＥは、不適切であると見なされるなら、ＭＤＴ要求を廃棄することができる場合がある。例えばＵＥが何時そして何処でＭＤＴ要求を受け容れそしてＭＤＴ報告を提供するか、を司る規則および機構を指定することができる。また、ネットワーク共有および緊急呼などの、特別な場合を支援するＭＤＴ構成設定の他の態様をもまた、指定することができる。
【００４６】
ＭＤＴを可能とするＵＥは、複数のＰＬＭＮを通って動き、ネットワークからネットワークへ移動することができる。ＭＤＴを可能とするＵＥは、ＵＥがＭＤＴを実行することが認可されていない、または実行するべきでない、ＰＬＭＮに入ることができる。このＵＥが接続されているｅＮＢは、ＵＥがＭＤＴを実行することを許されているかを知ることができない。しかしながらｅＮＢは依然として、このＵＥがある判断に基づきＭＤＴを実行するよう要求することを選ぶことができる。
【００４７】
ＭＤＴを可能とするＵＥは、例えば認可されたＰＬＭＮ、ＭＤＴ測定を実行するという要求をＵＥが受け容れることが許されているセル、およびそこに向けてＭＤＴ測定結果を報告することができるＰＬＭＮに関する情報を提供するモジュール（例えばＯＡＭ（Ｏｐｅｒａｔｉｏｎｓ、Ａｄｍｉｎｉｓｔｒａｔｉｏｎ  ＆  Ｍａｉｎｔｅｎａｎｃｅ：保守・運用管理）モジュール、またはＳＩＭ中の事前プログラムによる）を含むことができる。
【００４８】
ＵＥがそうすることが明示的にまたは黙示的に許されるなら、ＭＤＴを可能とするＵＥは、１つより多いＰＬＭＮからのＭＤＴ要求を引き受けることができる場合がある。ＵＥは例えば、ＭＤＴ測定を実行することが許されているＰＬＭＮまたはセルの事前にプログラムされた一覧を有することができる。一覧中に１つより多いＰＬＭＮがあれば、ＵＥはＭＤＴ測定を実行するために、それらのＰＬＭＮの何れに属するセルからも要求を受け容れることができる。ＵＥは複数のＰＬＭＮから要求を受け容れることができるが、指定されたＰＬＭＮまたは指定された複数のＰＬＭＮに対して測定を実行するようにＵＥのＭＤＴ測定の機能性を定義することができる。
【００４９】
ＭＤＴを可能とするＵＥは、そのＵＥが支援できないＭＤＴ要求に異議を唱えることができる。一実施形態において、ＵＥは要求を明示的に拒絶することができ、そして／または例えば「許容されない」という表示を提供するか、または拒絶の理由のような他の表示を提供することができる。別の実施形態においては、ＵＥは、要求されたＭＤＴ測定を実行するという要求を無視することを選ぶことができる。さらに別の実施形態においては、ＭＤＴ構成設定を受け取ることが許されていないか、またはＭＤＴ測定を実行することが許されていないＰＬＭＮまたはセルの中にＭＤＴを可能とするＵＥが移動したときには、ＭＤＴを可能とするＵＥは、その能力情報中の１つまたは複数のＭＤＴ支援能力表示を滅灯することができる。個人向け無線デバイスは、ＭＤＴを支援することが認可されない領域またはネットワーク中にてその能力を示すとき、ＭＤＴ要求を支援しないことを示すことができる。
【００５０】
さらに詳細にこの態様について説明すると、ＵＥは至る所を動くことができ、そして別の移動体ネットワークに、例えば様々なＰＬＭＮに属するセルにキャンプしまたは接続することができる。このＵＥは、常にＨＰＬＭＮ（Ｈｏｍｅ  ＰＬＭＮ：ホームＰＬＭＮ）を見出し、そして／またはそこに登録されているというわけではない。１つの特定のネットワーク運用者についてＭＤＴ測定を実行するようにＭＤＴ（ＬＴＥ  ＭＤＴなどの）を支援するＵＥが任命されまたは認可されることができ、そして他のネットワーク運用者がＭＤＴおよびＭＤＴ構成設定を異なって定義することができた場合に、ＵＥが認可されていないネットワーク・ノードからのＭＤＴ要求を拒絶することを可能にするようにＵＥを構成することが望ましいことを理解することが可能である。
【００５１】
認可されていないセルからＭＤＴ要求または構成設定が来たときには、ＭＤＴを支援するＵＥは、ＭＤＴ要求／構成設定（ＣｏｎｎｅｃｔｅｄにおけるＩｍｍｅｄｉａｔｅ−型ＭＤＴおよびＩｄｌｅモードにおけるＬｏｇｇｅｄ−型ＭＤＴの何れか１つまたは両方）を拒絶することができる。認可されていないセルには例えば、ＵＥのＨＰＬＭＮ（Ｈｏｍｅ  ＰＬＭＮ：ホームＰＬＭＮ）に属さないセル、ＵＥのＥＨＰＬＭＮ（Ｅｑｕｉｖａｌｅｎｔ  ＨＰＬＭＮ：等価なＨＰＬＭＮ）に属さないセル、ＵＥの「禁止ＰＬＭＮ」一覧中に属するセル、ＵＥが「限定サービス」モードにおいてキャンプしているかまたは緊急アタッチ手順を使用してアタッチしているセル、ＭＤＴを要求することが認可されている、ＭＤＴを認可されたＰＬＭＮの事前に定義された一覧（ＵＥのＵＳＩＭかまたは他の上位層のメモリ中に格納されたものなど）に含まれていないＰＬＭＮに属するセル、ＭＤＴを要求することが認可されている、認可されたＭＤＴセルの事前に定義された一覧（ＵＥのＵＳＩＭかまたは他の上位層のメモリ中に格納されたものなど）に含まれていないセル、ＭＤＴに関して如何なる方法においても認可されていないとして指定された何れかのセル、および／または同様のもの、を含むことができる。
【００５２】
ＭＤＴ要求者が認可されていないＭＤＴ要求者であるときに、ＵＥは、そのＭＤＴ要求者によって提供されたＭＤＴコマンド／構成設定を支援するオプションを持つことができるか、または上で説明されたように要求を拒否することを選ぶことができる。
【００５３】
ＵＥは、例えばＵＥのＵＳＩＭか、上位層の記憶装置に格納することができる認可されたＭＤＴ要求者の一覧に基づき１つまたは複数のＭＤＴ要求者からＭＤＴ要求（コマンドおよび構成設定）を受け容れることを選ぶことができる。逆に、ＵＥはまた、認可されていないＭＤＴ要求者の一覧中に含まれていない要求者からＭＤＴ要求を受け容れることを選ぶことができる。
【００５４】
認可されていない要求者からＭＤＴ要求を受け取ると、ＵＥは、その測定要求ＵＥは取り扱えないか、または取り扱うことを認可されていないことを示す、「未任命」または「未認可」などの原因符号を返すことを選ぶことができる。
【００５５】
ネットワーク共有（例えばｅＮＢまたはセルを１つより多いＰＬＭＮが共有することができ、そしてＳｙｓｔｅｍＩｎｆｏｒｍａｔｉｏｎＢｌｏｃｋＴｙｐｅｌのＩＥ  ＰＬＭＮ−ｌｄｅｎｔｉｔｙＬｉｓｔに１つより多いＰＬＭＮ  ＩＤを含むことができる）の場合においては、ＵＥ  ＮＡＳは１つの特定のＰＬＭＮを選択し、そしてＲＲＣ接続の完了にてＲＲＣＣｏｎｎｅｃｔｉｏｎＣｏｍｐｌｅｔｅメッセージのＩＥ  ｓｅｌｅｃｔｅｄＰＬＭＮ−Ｉｄｅｎｔｉｔｙ中にこの特定のＰＬＭＮを設定することができる。この場合においては、ＵＥがこの特定のＰＬＭＮに関連付けられていると見なすことができる。以上に述べられたように、ＵＥは、様々なＰＬＭＮの中の認可されていない要求者からのＭＤＴ要求を拒絶することを選ぶことができる。
【００５６】
しかしながら、緊急呼に対応する目的のために、ＵＥはそのＨＰＬＭＮまたはＥＨＰＬＭＮに属さないセルに接続することができる。緊急呼の間にまたは終了時に、一時的に登録されたＰＬＭＮからＭＤＴ要求を受け取っても、その一時的に登録されたＰＬＭＮが認可されていない要求者である場合には、ＵＥは依然として要求に対応することを拒否することができる。
【００５７】
送信の準備ができているログ型ＭＤＴ測定結果を有するＵＥに、適切な場所においてそのＵＥがＭＤＴ測定結果を提供するように、「報告場所」一覧を提供し、その結果、不必要なネットワーク転送トラフィックおよび不必要なＵＥ／ｅＮＢ相互対話を最小にすることができる。報告場所一覧は、例えば１つまたは複数のセル識別子、１つまたは複数のＬＡ／ＲＡ／ＴＡ領域の識別子、または１つまたは複数のＰＬＭＮの識別子などの、様々な項目を含むことができる。ＵＥは、報告利用可能性メッセージまたは表示を接続済みネットワーク要素に発行できるかを判定するためにＵＥがその時点で接続されているセルのセルＩＤ／領域／ＰＬＭＮ等を確認するために、この一覧を使用する。
【００５８】
ログ型ＭＤＴ測定結果を有するＵＥは、ＵＥがその時点で認可されていないセルまたは認可されていないＰＬＭＮに属するセルに接続されているなら、結果を保留にしておくことを選び、そしてＵＥが認可されたセルまたはＰＬＭＮに接続したときに結果を送信することができる。一実施形態においては、ＵＥは、認可されていないセルにはログ型ＭＤＴ測定結果が送信に利用可能であることを示さない。ＭＤＴ報告表示を提供するときこの情報を除外することによって、これを実施することができる。
【００５９】
例えばＰＬＭＮ一覧および／またはセル一覧の形体にて、「認可されたＭＤＴ  Ｒｅｐｏｒｔ  Ｒａｎｇｅ  Ｌｉｓｔ（ＭＤＴ報告範囲一覧）」を作成することができる。一覧中に含まれる１つまたは複数のセルが、ＭＤＴ結果を受け取ることを認可することができ、ここでＭＤＴ報告の形体にて結果を提供することができる。例えば、報告するために利用可能な状態にてログ型ＭＤＴ測定結果を有するＭＤＴを支援する１つまたは複数のＵＥは、例えば、ＭＤＴ要求を発出した第１のセルに結果を送信することができなかった結果として、認可された受信セルの内の１つにその結果を送信することができる。
【００６０】
ＵＥに関連付けられた上位層のメモリ中にＵＥ  ＭＤＴ測定領域一覧をデフォルト一覧として確立することができる。ＭＤＴ測定領域一覧は、ＰＬＭＮおよび／またはセルを含むことができる。ここでＭＤＴ要求構成設定において測定のために特定の領域が指定されていないときには、ＵＥが、一覧中に定義された１つまたは複数の他の何れかの領域中に位置しているときに、ＵＥは、要求された測定を実行することができる（その一覧が準備済みの一覧であると仮定して）。
【００６１】
別の実施形態においては、ＵＥが要求を受け取ったセルかまたは登録されたＰＬＭＮに属する１つまたは複数の他のセルか、の何れかにおいて、ＵＥは構成された測定を実行することができる。例えば、例えば事前に構成されそして／または事前に一覧化された指示などの他の指示がないとき、ＵＥが要求を受け取ったセルか、または登録されたＰＬＭＮに属する１つまたは複数の他のセルかの何れかにおいて、ＵＥは構成された測定を実行することができる。
【００６２】
ＵＥがその時点で緊急呼に関与しているなら、ＭＤＴ要求者が認可された要求者であっても、ＵＥはＩｍｍｅｄｉａｔｅ  ＭＤＴ要求および構成設定を支援することはできない場合がある。この場合においてＵＥは、ＵＥが「Ｉｍｍｅｄｉａｔｅ  ＭＤＴ測定Ｒｅｑｕｅｓｔ（要求）」を取り扱うことができないということを示す、「非常時」などの原因符号を返すことができる。一実施形態において、緊急呼の完了後にＵＥはＭＤＴ要求に対応することができる。
【００６３】
ＵＥは、ＵＥがある一定の測定ギャップを有するＲＲＭ測定を既に割り当てられており、および／または電話呼に対応しているとき、Ｉｍｍｅｄｉａｔｅ  ＭＤＴ要求および構成設定への応答を遅延させることができる。ＵＥがＭＤＴ要求に応答することができる程度の時限までＭＤＴ構成設定関連を保存することができる。
【００６４】
ＵＥはまた「最善努力（ｂｅｓｔ−ｅｆｆｏｒｔ）型」報告を仮定でき、ここではより高い優先度の測定から取り掛かり、そして／またはある限定された接続済みモード測定時間枠の中にその報告が収容される。例えば、あるＵＥが例えばＲＳＲＰ（Ｒｅｆｅｒｅｎｃｅ  Ｓｉｇｎａｌ  Ｒｅｃｅｉｖｅｄ  Ｐｏｗｅｒ：基準信号受信電力）測定またはＲＳＲＱ（Ｒｅｆｅｒｅｎｃｅ  Ｓｉｇｎａｌ  Ｒｅｃｅｉｖｅｄ  Ｑｕａｌｉｔｙ：基準信号受信品質）測定、および周波数内および周波数間帯域における一式の隣接セル測定を実行することを要求されているが、周波数間を測定するための資源不足のために完全にはそうすることができないなら、そのＵＥは、サーバー・セルに関係する測定結果を報告するが、隣接セルに関連する測定は報告しないことができる。
【００６５】
本質的にネットワークおよび地理的環境は変動するため、あるＭＤＴ測定はネットワークの様々な位置にて変化する場合がある。その結果、以前に構成されたＭＤＴ測定がその重要性を失う場合があり、そして従ってそのような時期遅れの測定の実行はデバイス電力およびネットワーク資源を浪費する場合がある。そのような時期遅れのまたは冗長なＭＤＴ測定および報告を最小化するために、Ｉｄｌｅモード構成設定のためのＭＤＴ測定は、測定有効時間、報告有効時間、および／または同様のものを指定することができる。
【００６６】
最早ＭＤＴ測定を為す必要がないかもしれない時間に関する表示をＵＥに提供するために測定有効時間を使用することができる。例えば測定有効時間が過ぎているなら、ＵＥは測定が開始しているか、または開始していないかに拘わらず、測定を保留することができる。同様に報告有効時間が過ぎているなら、ＵＥは報告の試みを保留することができ、そして時期遅れのログされた情報が存在するなら、そのような情報を削除することができる。ＵＥはまた、発出された測定要求を取り除き、そして／または削除することができる。
【００６７】
いくつかの実施方法においては、ＭＤＴ結果報告が実行可能な１つまたは複数の場所を指定するために、ＭＤＴ構成設定を使用することができる。これは、不必要なネットワーク・トラフィックを削減し、そしてネットワーク資源を節約するためである。例えばあるログされたＭＤＴ結果は、ＨＰＬＭＮに属する、またはＥＨＰＬＭＮに属するセルにおいて報告することが可能である。あるログされたＭＤＴ報告は、１つまたは複数の指定された追跡領域、またはセル一覧中の１つまたは複数のセルにおいて報告することができる。ある実施方法においてはＭＤＴ測定を、その測定を構成したセルまたはＰＬＭＮにおいて報告することができる。ログされたデータを有するＵＥは、指定された報告場所の内の１つのセルにＵＥが接続したときに、報告動作をトリガーする（例えば報告が利用可能であることを示す）ことができる。この「報告場所」は、そのＭＤＴに対する適切なネットワークに対してＵＥが結果として適切に処理されることを保証するために、セルＩＤレベル、ＴＡ／ＲＡ／ＬＡ／ＵＲＡ、またはＰＬＭＮもしくは選択されたＰＬＭＮ範囲レベルにて指定することができる。
【００６８】
３段階のＭＤＴログ済み測定報告のシナリオにおいては、ＵＥは、印のついたＭＤＴ報告表示子により（例えばＲＲＣＣｏｎｎｅｃｔｉｏｎＳｅｔｕｐＣｏｍｐｌｅｔｅメッセージ中にて）何れのパラメータが報告されることになるかを示すことができる。この表示は、例えばＭＤＴ構成設定請求ＩＤ、ログの時期の表示（例えば最後の測定の時刻刻印）、獲得されたデータに対する領域範囲（領域範囲を表すＩＤまたは他の値など）、または領域範囲の一部であるセル、ＰＬＭＮ、ＴＡ／ＲＡ／ＬＡ／ＵＲＡに対するＩＤを含む一覧などの様々な項目を含むことができる。その上その領域範囲がＵＥ位置決め情報であるならそのデータには、位置決め情報の形式を、ならびにＭＤＴ測定要求および／または構成設定の一部としてログされたデータのカテゴリが提供されるなら、それらのカテゴリまたはカテゴリ群を含むことができる。ログされたデータ・カテゴリは、例えばサービング・セル測定、隣接セル測定、エラー条件等などの、何れの種別の測定がログ中に含まれるかを示すことができる。
【００６９】
セルは、ＭＤＴ  ＵＥを印したＭＤＴ報告表示（例えばＲＲＣＣｏｎｎｅｃｔｉｏｎＳｅｔｕｐＣｏｍｐｌｅｔｅメッセージ中の表示などの）を拒絶することができる。ログされたＭＤＴ測定データ報告のこのカテゴリまたは請求ＩＤ、および／またはＵＥによって時期遅れである（例えばログの時期または領域範囲により）と示された報告を受け取るために、セルが適切な場所にない（例えば測定がそのセルに関係ない、またはそのセルが測定を獲得するべく対象としたネットワーク・エンティティへの何の転送方法をも持つことができない）、という理由にてＭＤＴ報告表示を拒絶できる。
【００７０】
いくつかの方法にて拒絶を実行することができる。例えば、セルはＵＥからの表示を無視し、そして全く応答しないことができ、またセルがＵＥに拒絶表示を送ることができる。拒絶表示は拒絶のための原因を示す場合、または示さない場合がある。この場合においてＵＥは、ＵＥが正しいセル領域に入るまで測定報告を保持することを選ぶことができる。
【００７１】
セルは、ＭＤＴ報告における測定データが時期遅れまたは無効であるという表示により、拒絶をＵＥに送ることができる。セルはまた、ログ削除（ｐｕｒｇｅ）メッセージ、または終了および削除メッセージを送ることができる。ＵＥは報告を意図されたログされたデータを削除することができ、および／またはＵＥはまた、Ｉｄｌｅ測定構成設定に関連付けられた既存のＭＤＴ要求を削除することができる。
【００７２】
セルは、セルがＭＤＴセルであるというＭＤＴ報告受信パラメータ、および／または表示を発行することができる。セルはこの情報を例えば、ＭＤＴを支援するＵＥへのマルチキャスト・メッセージ（ＭＤＴ−ＲＮＴＩおよび関連する方法により）、および／またはＭＤＴパラメータＩＤを有する１つまたは複数のＵＥへの個別メッセージ信号中にて、システム情報ブロックの形体にて示すことができる。この情報には例えば、ＭＤＴ報告において受け取る用意がある１つまたは複数のカテゴリの一覧、セルが受け取る用意があるＭＤＴ構成設定請求ＩＤ範囲、それが認識する用意がある１つまたは複数の発出構成設定セル（ＭＤＴ測定を構成設定したセル）、報告有効時間を含むことができる。この対応方法により表示および／または応答交換通信における時間および／または資源の消耗を最小にすることができる。
【００７３】
報告する準備ができているログされたＭＤＴ測定データを有するＵＥは、ＭＤＴシステム情報から、マルチキャスト表示メッセージ（ＭＤＴ−ＲＮＴＩ）から、および／またはＵＥがセルに接続しようとしているときの個別信号方式ＭＤＴ  ＩＥから、そのセルがＭＤＴ測定データを受け取るための適切な受取人であるか、およびログされたＭＤＴ測定データをそのセル領域において報告できるかを知ることができる。システム情報が、ログされたＭＤＴ報告データがこのセル中で報告するにおいて適切であることを示せないなら、ＵＥは、報告表示子をセルに送らないと決めることができる。例えば、ＵＥデバイスは、そのＲＲＣＣｏｎｎｅｃｔｉｏｎＣｏｍｐｌｅｔｅメッセージ中にて報告表示子を設定しないことを決定することができる。この処理は、２つまたはより以上の競合するキャリアが同一セル領域にてサービスを提供するときに生じる場合がある問題に対処する。
【００７４】
報告有効性は、最後の測定が為された時からそれがネットワークに報告されるまでの、ログされた報告の寿命をＵＥに示す。報告有効時間が経過しているなら、最早有効ではないとしてＵＥはそのＭＤＴ報告を廃棄することができる。
【００７５】
ＵＥは、位置情報を獲得するための機構を含むことができる。この情報は例えばＵＥが、Ｉｄｌｅ動作モードの間ログ型測定を実行するように構成されたときに有用である場合がある。いくつかの異なった方法にて位置情報を獲得することができる。第１の実施方法においては、ＵＥは内蔵のＧＰＳを備える場合がある。第２の実施方法においてはＵＥは、関係する位置にＵＥが位置したときにＵＥに知らせるために使用することができるトリガーとなる位置検出システムを含む場合がある。トリガーには例えば、誤りイベント（例えばＯｕｔ  ｏｆ  Ｓｅｒｖｉｃｅ（運転休止中））、信号閾値の検出、または時間関連のイベントなどのパラメータを含むことができる。第３の実施方法においてはＵＥは、位置情報を求めて断続的にまたは定期的に問い合わせされる場合がある位置検出を含む場合がある。代替の実施形態においてはＵＥは、位置情報を獲得するために１つまたは複数のネットワーク要素に問い合わせを送信する場合がある。問い合わせは、位置を獲得するためのネットワークへの移動体から発出された位置の要求（３６．３０５によるＭＯ−ＬＲなどの）の形体を呈する場合がある。
【００７６】
関係する地理的な領域によってＭＤＴ測定起動がトリガーされようとするなら、二段階の処理を使用する場合がある。関係するその地理的な領域の近くにＵＥがあるかを認識するための一般的な位置情報を獲得するために、ＵＥは最初に、粗い位置決め方法（例えば、電力消費量およびネットワーク・トラフィックを最小にするために、ＬＡ／ＲＡ／ＴＡ識別子などのセル識別子または他の地理的識別子を読む）を使用することができる。関係する地理的な領域の近傍にＵＥがいるとなると、ＵＥは次に、より正確な位置情報を取得するために別の位置識別計画に切り替わることができる。ＵＥがＧＰＳデバイスを備えていないか、または測定および信号方式などの、不要な位置決め行動により電池電力を浪費したくないとき、この二段階の処理は有益である場合がある。
【００７７】
上で説明されたオリジナルのＭＤＴ要求者および／または認可されたＭＤＴ要求者は、既存のＭＤＴ要求を変更するか、または新しいＭＤＴ要求を提供するためにＵＥを再構成することができる。古いＭＤＴ要求および／またはログされた測定を削除することができる。いくつかの場合においては、要求が満足されたかおよび／または測定値が提供されたかにかかわらずこの削除を行うことができる。いくつかの実施方法においては、Ｉｄｌｅ測定においてログ型ＭＤＴを実行するように認可されたセルから有効な要求を受け取ると、ＵＥは古いＭＤＴ構成設定を廃棄し、そしてこの古いＭＤＴ構成設定を新しいＭＤＴ構成設定に取り替えることができる。ＵＥは、ＵＥが次に待機動作モードを入った時に、その新しいＭＤＴ構成設定を使用し始めることができる。いくつかの場合においては、その時点でログ中にてその測定値が利用可能である前の要求者と要求セルのＰＬＭＮが同一ではないなら、新しいＭＤＴ構成設定を使用することができる。例えば要求セルがこのログから情報を受け取ることを認可されていないなら、ＵＥはこの既存のログを除去することができる。他のいくつかの場合においては、ＵＥは「ログが空でない（ｌｏｇ  ｎｏｔ  ｅｍｐｔｙ）」との理由にて新しい要求を拒絶することができる。前の測定のログが空でなく、そして要求セルのＰＬＭＮがその時点でログ中にある測定値を求めたものと同一である（例えばそのセルが報告を求めて来なかった）なら、待機モードになった時点で、ＵＥはログを除去し、そして新しい構成設定の使用を開始することができる。ここで再びＵＥは、「ログが空でない」を示す理由により応答することによって、同一の要求セルからの新しい要求を拒絶することができる。代替手段として、ＵＥは既存のログを保持し、そして新しいログを開始することができる。
【００７８】
いくつかの実施方法においては、ＭＤＴ測定要求は、既存のログがある場合にそれを除去するか否かについての表示を含むことができる。ＵＥはこの表示に基づき既存のＭＤＴ測定ログを除去するか、または保持することができる。
【００７９】
オリジナルのＭＤＴ要求者および、随意的に所与のＵＥに対する任意の認可されたＭＤＴ要求者もが、そのＵＥへのＭＤＴ要求を取り消すことができる。ＵＥが未だ測定を開始していないなら、ＭＤＴ−Ｃａｎｃｅｌ（取り消し）コマンドを受け取っているＵＥが、オリジナルの要求を取り除くことができ、そして／または起動条件が合致したときでさえ、要求された測定をしないことを決定することができる。要求が実行されているならＵＥは、ログされたＭＤＴ報告を廃棄し、構成設定を廃棄し、そしてＭＤＴ測定をそれ以上実行しないことができる。
【００８０】
ＵＥが１つより多いＭＤＴ要求を保持できる場合には、元のＭＤＴ−Ｒｅｑｕｅｓｔ−ＩＤにより上に説明された再構成設定行動を記述することができる。要求者はまた、オリジナルの要求者かまたは上で説明された「認可されたＭＤＴ要求」の内の１つの何れかであることができる。
【００８１】
ネットワーク共有（例えば、ｅＮＢまたはセルが１つより多いＰＬＭＮによって共有され、そして１つより多いＰＬＭＮ  ＩＤがＳｙｓｔｅｍＩｎｆｏｒｍａｔｉｏｎＢｌｏｃｋＴｙｐｅｌのＩＥ  ｐｌｍｎ−ＩｄｅｎｔｉｔｙＬｉｓｔ中に含まれる）の場合においては、ＵＥ  ＮＡＳは１つのＰＬＭＮを選択し、そしてＲＲＣ接続の完了にてＲＲＣＣｏｎｎｅｃｔｉｏｎＣｏｍｐｌｅｔｅメッセージのＩＥ  ｓｅｌｅｃｔｅｄＰＬＭＮ−Ｉｄｅｎｔｉｔｙ（識別子）にそれを設定することができる。この場合においては、ＵＥはｓｅｌｅｃｔｅｄＰＬＭＮ−Ｉｄｅｎｔｉｔｙ（識別子）によって特定されるネットワークに関連付けられていると考えることができる。
【００８２】
ＭＤＴ要求を発出したＰＬＭＮがＰＬＭＮｘであるログ型ＭＤＴに対して構成されたＵＥに関しては、そのようなＵＥが、１つより多いＰＬＭＮによって共有され、そしてｐｌｍｎ−ＩｄｅｎｔｉｔｙＬｉｓｔ中のＰＬＭＮ群の１つがＰＬＭＮｘであるｅＮＢまたはセルに接続するなら、ＵＥ  ＮＡＳは、ＰＬＭＮｘを選択し、ＲＲＣ接続の完了にてＲＲＣＣｏｎｎｅｃｔｉｏｎＣｏｍｐｌｅｔｅメッセージのＩＥ  ｓｅｌｅｃｔｅｄＰＬＭＮ−Ｉｄｅｎｔｉｔｙ（識別子）にそれを設定することができる。この場合においては、ＰＬＭＮｘ（ＲＰＬＭＮ）であるｓｅｌｅｃｔｅｄＰＬＭＮ−Ｉｄｅｎｔｉｔｙ（識別子）によって特定されたネットワークにＵＥ接続が登録されると考えることができ、そして／または個人向け無線デバイスは、ＭＤＴ要求を受け容れ、そして従ってＰＬＭＮｘに対してＭＤＴ報告を発生させることができる。
【００８３】
例えば一覧メンバーなどの、上で説明されたＭＤＴ−動作関連認可一覧の内容は、サービス契約から事前プログラム化することができ、そしてそれらはまた、ネットワーク信号方式によって再割り当てすることが可能である。例えば「ＡＴＴＡＣＨ  ＡＣＣＥＰＴ」、「Ｔｒａｃｋｉｎｇ  Ａｒｅａ  Ｕｐｄａｔｅ  ＡＣＣＥＰＴ」、および／または「Ｄｅｔａｃｈ  Ａｃｃｅｐｔ」メッセージなどの、ＮＡＳ信号方式を使用することができる。一実施形態においては、ＲＲＣＣｏｎｎｅｃｔｉｏｎＳｅｔｕｐ、ＲＲＣＣｏｎｎｅｃｔｉｏｎＲｅｃｏｎｆｉｇｕｒａｔｉｏｎ、および／またはＲＲＣＣｏｎｎｅｃｔｉｏｎＲｅｅｓｔａｂｌｉｓｈｍｅｎｔメッセージなどの、ＲＲＣメッセージをこの目的のために使用することができる。
【００８４】
ＲＲＣ  Ｃｏｎｎｅｃｔｉｏｎに対して有効、追跡領域に対して有効、および／またはＡｔｔａｃｈｅｄネットワークに対して（例えば、ＡＴＴＡＣＨ  ＡＣＣＥＰＴからＤＥＴＡＣＨ  ＡＣＣＥＰＴまで）有効、の時間範囲に従って、初めはＵＳＩＭからの、既存のＭＤＴ動作認可一覧から、認可されたまたは認可されていない一覧メンバーを追加しまたは削除することができる。
【００８５】
ここで図４に注意を向けると、第３のシステム実施形態が示され、様々な個人向け無線デバイス１０２ａ、１０２ｂ、および１０２ｃがＲＡＮ１０４と通信的に結合され、ＲＡＮ１０４が次にコア・ネットワーク１０６および他のネットワークと通信的に結合される。ＲＡＮ１０４はＵＴＲＡＮ無線技術を採用し、無線インターフェイス１１６上にて個人向け無線デバイス１０２ａ、１０２ｂ、１０２ｃと通信することができる。ＲＡＮ１０４はまた、１つまたは複数の通信リンクを通してコア・ネットワーク１０６と通信状態にあることができる。図４に示されるように、ＲＡＮ１０４は、無線インターフェイス１１６上にて個人向け無線デバイス１０２ａ、１０２ｂ、１０２ｃと通信するための１つまたは複数の送受信機を含むことができる、ノードＢ１４０ａ、１４０ｂ、１４０ｃを含むことができる。ノードＢ１４０ａ、１４０ｂ、１４０ｃはそれぞれ、ＲＡＮ１０４の中における特定のセルに関連付けることができる（上で図１を使用して説明されたように）。ＲＡＮ１０４はまた、ＲＮＣ（Ｒａｄｉｏ  Ｎｅｔｗｏｒｋ  Ｃｏｎｔｒｏｌｌｅｒ：無線ネットワーク制御装置）１４２ａ、１４２ｂを含むことができる。ＲＡＮ１０４が任意の数のノードＢおよびＲＮＣを含むことができ、そして図４に示された数に制限されないことが理解されるであろう。
【００８６】
その上、図４に示されるように、ノードＢの１４０ａおよび１４０ｂがＲＮＣ１４２ａと通信状態にあることができ、一方ノードＢ１４０ｃがＲＮＣ１４２ｂと通信状態にあることができる。ノードＢ１４０ａ、１４０ｂ、１４０ｃは、Ｉｕｂインターフェイスを介してそれぞれのＲＮＣ１４２ａ、１４２ｂと通信することができる。ＲＮＣ１４２ａ、１４２ｂは、Ｉｕｒインターフェイスを介してお互いと通信状態にあることができる。ＲＮＣ１４２ａ、１４２ｂのそれぞれを、それが接続されているそれぞれのノードＢ１４０ａ、１４０ｂ、１４０ｃを制御するように構成することができる。さらに加えて、ＲＮＣ１４２ａ、１４２ｂのそれぞれは、外部ループの電力制御、負荷制御、進入制御、パケット・スケジューリング、ハンドオーバー制御、マクロダイバーシティ、セキュリティ機能、データ暗号化、および同様のものなどの、他の機能性を実行し、または支援するように構成することができる。
【００８７】
図４中に示されるコア・ネットワーク１０６は、ＭＧＷ（Ｍｅｄｉａ  ＧａｔｅＷａｙ：メディア・ゲートウェイ）１４４、ＭＳＣ（Ｍｏｂｉｌｅ  Ｓｗｉｔｃｈｉｎｇ  Ｃｅｎｔｅｒ：移動体交換局）１４６、ＳＧＳＮ（Ｓｅｒｖｉｎｇ  ＧＰＲＳ  Ｓｕｐｐｏｒｔ  Ｎｏｄｅ：サービングＧＰＲＳ支援ノード）１４８、および／またはＧＧＳＮ（Ｇａｔｅｗａｙ  ＧＰＲＳ  Ｓｕｐｐｏｒｔ  Ｎｏｄｅ：ゲートウェイＧＰＲＳ支援ノード）１５０を含むことができる。以上の要素のそれぞれがコア・ネットワーク１０６の一部として描かれるが、これらの要素の任意の１つをコア・ネットワーク運用者以外のエンティティが所有しそして／または運用することができることが理解されるであろう。
【００８８】
ＩｕＣＳインターフェイスを介してコア・ネットワーク１０６中のＭＳＣ１４６にＲＡＮ１０４中のＲＮＣ１４２ａを接続することができる。ＭＳＣ１４６をＭＧＷ１４４に接続することができる。ＭＳＣ１４６およびＭＧＷ１４４は、個人向け無線デバイス１０２ａ、１０２ｂ、１０２ｃにＰＳＴＮ１０８などの回線交換ネットワークへのアクセスを提供し、個人向け無線デバイス１０２ａ、１０２ｂ、１０２ｃおよび従来的地上線通信デバイスの間の通信を容易にすることができる。
【００８９】
ＲＡＮ１０４中のＲＮＣ１４２ａはまた、ＩｕＰＳインターフェイスを介してコア・ネットワーク１０６中のＳＧＳＮ１４８に接続することができる。ＳＧＳＮ１４８をＧＧＳＮ１５０に接続することができる。ＳＧＳＮ１４８およびＧＧＳＮ１５０は、個人向け無線デバイス１０２ａ、１０２ｂ、１０２ｃに、インターネット１１０などの、パケット交換ネットワークへのアクセスを提供し、個人向け無線デバイス１０２ａ、１０２ｂ、１０２ｃおよびＩＰを可能にされたデバイスの間の通信を容易にすることができる。
【００９０】
上で述べたように、コア・ネットワーク１０６はまた、他のサービス・プロバイダーが所有しそして／または運用する他の有線のまたは無線のネットワークを含む場合がある、ネットワーク１１２に接続することができる。
【００９１】
図５は第４のシステム実施形態を示し、様々な個人向け無線デバイス１０２ａ、１０２ｂ、および１０２ｃがＲＡＮ１０４と通信的に結合され、ＲＡＮ１０４が次に、コア・ネットワーク１０６および他のネットワークに通信的に結合される。この実施形態においては、ＲＡＮ１０４はＥ−ＵＴＲＡ無線技術を採用し、無線インターフェイス１１６により個人向け無線デバイス１０２ａ、１０２ｂ、１０２ｃと通信することができる。ＲＡＮ１０４はまた、１つまたは複数の通信リンクを通してコア・ネットワーク１０６と通信状態にあることができる。
【００９２】
ＲＡＮ１０４は、ｅノードＢの１４０ａ、１４０ｂ、１４０ｃを含むことができるが、ＲＡＮ１０４は任意の数のｅノードＢを含むことができ、そして図５に示された数に制限されないことが理解されるであろう。ｅノードＢの１４０ａ、１４０ｂ、１４０ｃはそれぞれ、無線インターフェイス１１６上にて個人向け無線デバイス１０２ａ、１０２ｂ、１０２ｃと通信するための１つまたは複数の送受信機を含むことができる。一実施形態において、ｅノードＢの１４０ａ、１４０ｂ、１４０ｃはＭＩＭＯ技術を実施することができる。したがって、例えばｅノードＢ１４０ａは複数のアンテナを使用し、個人向け無線デバイス１０２ａへ無線信号を送信し、そしてそこから無線信号を受信することができる。
【００９３】
ｅノードＢ１４０ａ、１４０ｂ、１４０ｃのそれぞれは、特定のセルに関連付けることができ（図１を使用して上で説明されたように）、そして無線資源管理の判断、ハンドオーバーの判断、上りリンクおよび／または下りリンクにおけるユーザーのスケジューリング、および同様のものを取り扱うように構成することができる。
【００９４】
図５に示されるコア・ネットワーク１０６は、ＭＭＥ（Ｍｏｂｉｌｉｔｙ  Ｍａｎａｇｅｍｅｎｔ  ｇａｔｅｗａｙ：移動体管理ゲートウェイ）１４２、サービング・ゲートウェイ１４４、およびＰＤＮ（Ｐａｃｋｅｔ  Ｄａｔａ  Ｎｅｔｗｏｒｋ：パケット・データ・ネットワーク）ゲートウェイ１４６を含むことができる。以上の要素のそれぞれがコア・ネットワーク１０６の一部として描かれるが、これらの要素の任意の１つをコア・ネットワーク運用者以外のエンティティが所有しそして／または運用する場合があることが理解されるであろう。
【００９５】
ＭＭＥ１４２は、ＲＡＮ１０４中のｅノードＢ１４２ａ、１４２ｂ、１４２ｃのそれぞれにＳ１インターフェイスを介して接続することができ、そして制御ノードとして機能することができる。ＭＭＥ１４２は例えば、個人向け無線デバイス１０２ａ、１０２ｂ、１０２ｃのユーザーの認証、ベアラの起動／停止、個人向け無線デバイス１０２ａ、１０２ｂ、１０２ｃの最初のアタッチの間の特定のサービング・ゲートウェイの選択、および同様のものに関与することができる。ＭＭＥ１４２はまた、ＲＡＮ１０４、およびＧＳＭまたはＷＣＤＭＡなどの他の無線技術を採用する他のＲＡＮ（示されない）の間を切り換えるための制御面機能を提供することができる。
【００９６】
サービング・ゲートウェイ１４４は、ＲＡＮ１０４中のｅノードＢ１４０ａ、１４０ｂ、１４０ｃのそれぞれにＳ１インターフェイスを介して接続することができる。サービング・ゲートウェイ１４４は一般に、個人向け無線デバイス１０２ａ、１０２ｂ、１０２ｃから／へユーザー・データ・パケットを経路制御し、そして転送することができる。サービング・ゲートウェイ１４４はまた、ｅノードＢ間ハンドオーバーの間のユーザー面のアンカーリング（ａｎｃｈｏｒｉｎｇ）、個人向け無線デバイス１０２ａ、１０２ｂ、１０２ｃに対して下りリンク・データが利用可能であるときのページングのトリガー動作、個人向け無線デバイス１０２ａ、１０２ｂ、１０２ｃ関連の管理および格納、および同様のものなどの他の機能を実行することができる。
【００９７】
サービング・ゲートウェイ１４４はまた、ＰＤＮゲートウェイ１４６に接続することができ、ＰＤＮゲートウェイ１４６は、個人向け無線デバイス１０２ａ、１０２ｂ、１０２ｃにインターネット１１０などの、パケット交換ネットワークへのアクセスを提供し、個人向け無線デバイス１０２ａ、１０２ｂ、１０２ｃおよびＩＰを可能にされたデバイスの間の通信を容易にすることができる。
【００９８】
コア・ネットワーク１０６は、他のネットワークとの通信を容易にすることができる。コア・ネットワーク１０６は例えば、個人向け無線デバイス１０２ａ、１０２ｂ、１０２ｃに、ＰＳＴＮ１０８などの、回線交換ネットワークへのアクセスを提供し、個人向け無線デバイス１０２ａ、１０２ｂ、１０２ｃと従来的地上線通信デバイスの間の通信を容易にすることができる。コア・ネットワーク１０６は例えば、コア・ネットワーク１０６およびＰＳＴＮ１０８の間のインターフェイスとして機能するＩＰゲートウェイ（例えば、ＩＭＳ（ＩＰ  Ｍｕｌｔｉｍｅｄｉａ  Ｓｕｂｓｙｓｔｅｍ：ＩＰマルチメディア・サブシステム）サーバー）を含むことができ、またはそれと通信することができる。さらに加えてコア・ネットワーク１０６は、個人向け無線デバイス１０２ａ、１０２ｂ、１０２ｃに、他のサービス・プロバイダーが所有しそして／または運用する他の有線のまたは無線のネットワークを含む場合がある、ネットワーク１１２へのアクセスを提供することができる。
【００９９】
図６は第５のシステム実施形態を示し、様々な個人向け無線デバイスの１０２ａ、１０２ｂ、および１０２ｃがＲＡＮ１０４と通信的に結合され、ＲＡＮ１０４が次に、コア・ネットワーク１０６および他のネットワークに通信的に結合される。この実施形態においては、ＲＡＮ１０４はＩＥＥＥ８０２．１６無線技術を採用するＡＳＮ（Ａｃｃｅｓｓ  Ｓｅｒｖｉｃｅ  Ｎｅｔｗｏｒｋ：アクセス・サービス・ネットワーク）であり、個人向け無線デバイス１０２ａ、１０２ｂ、１０２ｃと無線インターフェイス１１６上にて通信することができる。さらに以下で議論することになるように、個人向け無線デバイス１０２ａ、１０２ｂ、１０２ｃ、ＲＡＮ１０４、およびコア・ネットワーク１０６の異なった機能エンティティの間の通信リンクは、基準点（ｒｅｆｅｒｅｎｃｅ  ｐｏｉｎｔ）として定義することができる。
【０１００】
図６において示されるように、ＲＡＮ１０４は、基地局１４０ａ、１４０ｂ、１４０ｃ、およびＡＳＮゲートウェイ１４２を含むことができるが、ＲＡＮ１０４が任意の数の基地局およびＡＳＮゲートウェイを含むことができることが理解されるであろう。基地局１４０ａ、１４０ｂ、１４０ｃは、ＲＡＮ１０４においてそれぞれ特定のセル（示されない）に関連付けられ、そして個人向け無線デバイス１０２ａ、１０２ｂ、１０２ｃと無線インターフェイス１１６上にて通信するためにそれぞれ１つまたは複数の送受信機を含むことができる。一実施形態においては、基地局１４０ａ、１４０ｂ、１４０ｃはＭＩＭＯ技術を実施することができる。したがって、例えば基地局１４０ａは、個人向け無線デバイス１０２ａへ無線信号を送信し、そしてそこから無線信号を受信するために複数のアンテナを使用することができる。基地局１４０ａ、１４０ｂ、１４０ｃはまた、ハンドオフ・トリガー動作、トンネル確立、無線資源管理、トラフィック分類、ＱｏＳ（Ｑｕａｌｉｔｙ  ｏｆ  Ｓｅｒｖｉｃｅ：サービス品質）方針実施、および同様のものなどの、移動性管理機能（ｍｏｂｉｌｉｔｙ  ｍａｎａｇｅｍｅｎｔ  ｆｕｎｃｔｉｏｎ）を提供することができる。ＡＳＮゲートウェイ１４２は、トラフィック集約点として機能することができ、そしてページング、加入者プロフィールのキャッシュ、コア・ネットワーク１０６への経路制御、および同様のものに関与することができる。
【０１０１】
個人向け無線デバイス１０２ａ、１０２ｂ、１０２ｃおよびＲＡＮ１０４の間の無線インターフェイス１１６は、ＩＥＥＥ８０２．１６仕様を実施するＲｌ基準点として定義することができる。さらに加えて、個人向け無線デバイス１０２ａ、１０２ｂ、１０２ｃのそれぞれは、コア・ネットワーク１０６との論理的インターフェイス（示されない）を確立することができる。個人向け無線デバイス１０２ａ、１０２ｂ、１０２ｃおよびコア・ネットワーク１０６の間の論理的インターフェイスをＲ２基準点として定義することができ、認証、認可、ＩＰホスト構成設定管理、および／または移動性管理に対してそれを使用することができる。
【０１０２】
基地局１４０ａ、１４０ｂ、１４０ｃのそれぞれの間の通信リンクは、ハンドオーバーおよび基地局の間のデータ転送を容易にするためのプロトコルを含むＲ８基準点として定義することができる。基地局１４０ａ、１４０ｂ、１４０ｃ、およびＡＳＮゲートウェイ２１５の間の通信リンクをＲ６基準点として定義することができる。Ｒ６基準点は、個人向け無線デバイス１０２ａ、１０２ｂ、１００ｃのそれぞれに関連付けられた移動性イベントに基づき移動性管理を容易にするためのプロトコルを含むことができる。
【０１０３】
図６において示されるように、ＲＡＮ１０４はコア・ネットワーク１０６に関連付けることができる。ＲＡＮ１０４およびコア・ネットワーク１０６の間の通信リンクは、例えばデータ転送および移動性管理能力を容易にするためのプロトコルを含む、Ｒ３基準点として定義することができる。コア・ネットワーク１０６は、ＭＩＰ−ＨＡ（Ｍｏｂｉｌｅ  ＩＰ  Ｈｏｍｅ  Ａｇｅｎｔ：移動体ＩＰホーム・エージェント）１４４、ＡＡＡ（Ａｕｔｈｅｎｔｉｃａｔｉｏｎ、Ａｕｔｈｏｒｉｚａｔｉｏｎ、Ａｃｃｏｕｎｔｉｎｇ：認証・認可・会計）サーバー１４６、およびゲートウェイ１４８を含むことができる。以上の要素のそれぞれはコア・ネットワーク１０６の一部として描かれているが、これらの要素の任意の１つをコア・ネットワーク運用者以外のエンティティが所有しそして／または運用することができることが理解されるであろう。
【０１０４】
ＭＩＰ−ＨＡは、ＩＰアドレス管理に関与することができ、そして個人向け無線デバイス１０２ａ、１０２ｂ、１０２ｃが別のＡＳＮおよび／または別のコア・ネットワークの間を移動することを可能にすることができる。ＭＩＰ−ＨＡ１４４は、個人向け無線デバイス１０２ａ、１０２ｂ、１０２ｃに、インターネット１１０などのパケット交換ネットワークへのアクセスに提供し、個人向け無線デバイス１０２ａ、１０２ｂ、１０２ｃ、およびＩＰを可能にされたデバイスの間の通信を容易にすることができる。ＡＡＡサーバー１４６は、ユーザー認証に対しておよびユーザー・サービスの支援に対して関与することができる。ゲートウェイ１４８は、他のネットワークとの連係動作を容易にすることができる。ゲートウェイ１４８は例えば、個人向け無線デバイス１０２ａ、１０２ｂ、１０２ｃにＰＳＴＮ１０８などの回線交換ネットワークへのアクセスを提供し、個人向け無線デバイス１０２ａ、１０２ｂ、１０２ｃおよび従来的地上線通信デバイスの間の通信を容易にすることができる。さらに加えてゲートウェイ１４８は、個人向け無線デバイス１０２ａ、１０２ｂ、１０２ｃに、他のサービス・プロバイダーが所有しそして／または運用する他の有線または無線のネットワークを含むことができるネットワーク１１２へのアクセスを提供することができる。
【０１０５】
図６においては示されないが、ＲＡＮ１０４を他のＡＳＮに接続することができ、そしてコア・ネットワーク１０６を他のコア・ネットワークに接続することができることを理解することができるであろう。ＲＡＮ１０４および他のＡＳＮの間の通信リンクをＲ４基準点として定義することができ、ＲＡＮ１０４および他のＡＳＮの間での個人向け無線デバイス１０２ａ、１０２ｂ、１０２ｃの移動性を調整することができる。コア・ネットワーク１０６および他のコア・ネットワークの間の通信リンクをＲ５基準として定義することができ、ホームのコア・ネットワークおよび訪問先のコア・ネットワークの間の連係動作を容易にするためのプロトコルを含むことができる。
【０１０６】
特徴および要素が上で特定の組み合わせにて記述されているが、通常の当業者は、それぞれの特徴または要素が単独にて、または他の特徴および要素との任意の組み合わせにて使用可能であることを理解するであろう。さらに加えて、本明細書において説明される方法は、コンピューターまたはプロセッサによる実行のための、コンピューターにて読み取り可能な媒体に組み込まれるコンピューター・プログラム、ソフトウェア、またはファームウェアにて実施することができる。コンピューターにて読み取り可能な媒体の例には、電子信号（有線または無線接続上にて送信される）およびコンピューターにて読み取り可能な記憶媒体が含まれる。コンピューターにて読み取り可能な記憶媒体の例としては、限定的ではなく、ＲＯＭ（Ｒｅａｄ−Ｏｎｌｙ  Ｍｅｍｏｒｙ：読み出し専用メモリ）、ＲＡＭ（Ｒａｎｄｏｍ  Ａｃｃｅｓｓ  Ｍｅｍｏｒｙ：ランダム・アクセス・メモリ）、レジスタ、キャッシュ・メモリ、半導体メモリ・デバイス、内蔵ハード・ディスクおよび脱着可能ディスクなどの磁気媒体、磁気−光学媒体、ならびにＣＤ−ＲＯＭディスクおよびＤＶＤ（Ｄｉｇｉｔａｌ  Ｖｅｒｓａｔｉｌｅ  Ｄｉｓｋ：デジタル多用途ディスク）などの光学媒体が含まれる。
【図１】
2015149750.tif 000003
【図２】
2015149750.tif 000004
【図３】
2015149750.tif 000005
【図４】
2015149750.tif 000006
【図５】
2015149750.tif 000007
【図６】
2015149750.tif 000008
【手続補正書】
【提出日】平成27年6月29日(2015.6.29)
【手続補正１】
【補正対象書類名】特許請求の範囲
【補正対象項目名】全文
【補正方法】変更
【補正の内容】
【特許請求の範囲】
【請求項１】
デバイスであって、
測定を実行するための構成情報を受信し、
前記デバイスが、実行されることになる前記測定に対して認可されたセルまたは公衆地上移動体ネットワーク（ＰＬＭＮ）に接続される場合に、前記構成情報に整合する、ネットワーク性能関連指標の前記測定を実行し、
前記デバイスが、前記測定を報告するために認可された少なくとも１つの報告場所を含むリストに含まれたセルまたはＰＬＭＮに接続される場合に、ネットワーク要素に前記測定の可用性の表示を送信する
ように構成されることを特徴とするデバイス。
【請求項２】
前記デバイスは、セルラー電話、携帯情報端末、またはインターネット利用可能無線デバイスのうちの少なくとも１つであることを特徴とする請求項１に記載のデバイス。
【請求項３】
前記測定は、前記デバイスが動作のアイドルモードにある場合に実行されたログ型測定であることを特徴とする請求項１に記載のデバイス。
【請求項４】
前記構成情報は、測定有効時間または報告有効時間のうちの少なくとも１つを含むことを特徴とする請求項１に記載のデバイス。
【請求項５】
前記デバイスは、前記測定有効時間が過ぎた場合に、前記ネットワーク性能関連指標の前記測定の実行を停止するようにさらに構成されることを特徴とする請求項４に記載のデバイス。
【請求項６】
前記デバイスは、前記報告有効時間の間、前記ネットワーク性能関連指標の前記測定を記憶するようにさらに構成されることを特徴とする請求項４に記載のデバイス。
【請求項７】
前記デバイスは、前記報告有効時間が過ぎた場合に、前記ネットワーク性能関連指標の前記測定を削除するようにさらに構成されることを特徴とする請求項６に記載のデバイス。
【請求項８】
前記デバイスは、前記測定を実行するための新しい構成情報を受信し、前記新しい構成情報を受信すると、以前に受信された前記構成情報を、前記新しい構成情報に置換し、および以前に受信された前記構成情報に整合して実行された前記ネットワーク性能関連指標の前記測定をクリアするようにさらに構成されることを特徴とする請求項１に記載のデバイス。
【請求項９】
前記表示は、ＲＲＣＣｏｎｎｅｃｔｉｏｎＳｅｔｕｐＣｏｍｐｌｅｔｅメッセージにおいて、前記ネットワーク要素に送信されることを特徴とする請求項１に記載のデバイス。
【請求項１０】
測定を実行するための構成情報を受信するステップと、
デバイスが、実行されることになる前記測定に対して認可されたセルまたは公衆地上移動体ネットワーク（ＰＬＭＮ）に接続される場合に、前記構成情報に整合する、ネットワーク性能関連指標の前記測定を実行するステップと、
前記デバイスが、前記測定を報告するために認可された少なくとも１つの報告場所を含むリストに含まれたセルまたはＰＬＭＮに接続される場合に、ネットワーク要素に前記測定の可用性の表示を送信するステップと
を備えたことを特徴とする方法。
【請求項１１】
前記測定は、動作のアイドルモードにおいて実行されたログ型測定であることを特徴とする請求項１０に記載の方法。
【請求項１２】
前記構成情報は、測定有効時間または報告有効時間のうちの少なくとも１つを含むことを特徴とする請求項１０に記載の方法。
【請求項１３】
前記測定有効時間が過ぎた場合に、前記ネットワーク性能関連指標の前記測定の実行を停止されることを特徴とする請求項１２に記載の方法。
【請求項１４】
前記報告有効時間の間、前記ネットワーク性能関連指標の前記測定を記憶するステップをさらに備えたことを特徴とする請求項１２に記載の方法。
【請求項１５】
前記報告有効時間が過ぎた場合に、前記ネットワーク性能関連指標の前記測定を削除するステップをさらに備えたことを特徴とする請求項１４に記載の方法。
【請求項１６】
前記測定を実行するための新しい構成情報を受信するステップと、
前記新しい構成情報を受信すると、以前に受信された前記構成情報を、前記新しい構成情報に置換し、および以前に受信された前記構成情報に整合して実行された前記ネットワーク性能関連指標の前記測定をクリアするステップと
をさらに備えたことを特徴とする請求項１０に記載の方法。
【請求項１７】
前記表示は、ＲＲＣＣｏｎｎｅｃｔｉｏｎＳｅｔｕｐＣｏｍｐｌｅｔｅメッセージにおいて、前記ネットワーク要素に送信されることを特徴とする請求項１０に記載の方法。
【請求項１８】
その上に記憶されたコンピュータ実行可能命令を有する非一時的コンピュータ可読記憶媒体であって、前記コンピュータ実行可能命令は、
測定を実行するための構成情報にアクセスすることと、
デバイスが、実行されることになる前記測定に対して認可されたセルまたは公衆地上移動体ネットワーク（ＰＬＭＮ）に接続される場合に、前記構成情報に整合する、ネットワーク性能関連指標の前記測定を実行することと、
前記デバイスが、前記測定を報告するために認可された少なくとも１つの報告場所を含むリストに含まれたセルまたはＰＬＭＮに接続される場合に、ネットワーク要素に前記測定の可用性の表示を送信することと
を実行するための命令を備えたことを特徴とする非一時的コンピュータ可読記憶媒体。
【請求項１９】
前記測定は、動作のアイドルモードにおいて実行されたログ型測定であることを特徴とする請求項１８に記載の非一時的コンピュータ可読記憶媒体。
【請求項２０】
前記構成情報は、測定有効時間または報告有効時間のうちの少なくとも１つを含むことを特徴とする請求項１８に記載の非一時的コンピュータ可読記憶媒体。
【請求項２１】
前記測定有効時間が過ぎた場合に、前記ネットワーク性能関連指標の前記測定の実行を停止されることを特徴とする請求項２０に記載の非一時的コンピュータ可読記憶媒体。
【請求項２２】
前記コンピュータ実行可能命令は、前記報告有効時間の間、前記ネットワーク性能関連指標の前記測定を記憶するための命令をさらに備えたことを特徴とする請求項２０に記載の非一時的コンピュータ可読記憶媒体。
【請求項２３】
前記コンピュータ実行可能命令は、前記報告有効時間が過ぎた場合に、前記ネットワーク性能関連指標の前記測定を削除するための命令をさらに備えたことを特徴とする請求項２２に記載の非一時的コンピュータ可読記憶媒体。
【請求項２４】
前記コンピュータ実行可能命令は、
前記測定を実行するための新しい構成情報を受信し、
前記新しい構成情報を受信すると、以前に受信された前記構成情報を、前記新しい構成情報に置換し、および以前に受信された前記構成情報に整合して実行された前記ネットワーク性能関連指標の前記測定をクリアする
ための命令をさらに備えたことを特徴とする請求項１８に記載の非一時的コンピュータ可読記憶媒体。
【請求項２５】
前記表示は、ＲＲＣＣｏｎｎｅｃｔｉｏｎＳｅｔｕｐＣｏｍｐｌｅｔｅメッセージにおいて、前記ネットワーク要素に送信されることを特徴とする請求項１８に記載の非一時的コンピュータ可読記憶媒体。
【請求項２６】
デバイスであって、
測定を実行するための構成情報を受信し、前記構成情報は、測定有効時間を含み、
前記構成情報に整合する、ネットワーク性能関連指標の前記測定を実行し、前記測定は、前記デバイスが、実行されることになる前記測定に対して認可されたセルまたは公衆地上移動体ネットワーク（ＰＬＭＮ）に接続され、または位置される場合に、実行され、および前記前記測定は、前記測定有効時間が過ぎるまで実行され、
ネットワーク要素に前記測定の可用性の表示を送信し、前記デバイスが、前記測定を報告するために認可された少なくとも１つの報告場所を含むリストに含まれたセルまたはＰＬＭＮに接続される場合に前記表示は送信される
ことを特徴とするデバイス。
【請求項２７】
前記デバイスは、セルラー電話、携帯情報端末、またはインターネット利用可能無線デバイスのうちの少なくとも１つであることを特徴とする請求項２６に記載のデバイス。
【請求項２８】
前記測定は、前記デバイスが動作のアイドルモードにある場合にさらに実行されたログ型測定であることを特徴とする請求項２６に記載のデバイス。
【請求項２９】
前記構成情報は、報告有効時間をさらに含むことを特徴とする請求項２６に記載のデバイス。
【請求項３０】
前記デバイスは、前記報告有効時間の間、前記ネットワーク性能関連指標の前記測定を記憶するようにさらに構成されることを特徴とする請求項２９に記載のデバイス。
【請求項３１】
前記デバイスは、前記報告有効時間が過ぎた場合に、前記ネットワーク性能関連指標の前記測定を削除するようにさらに構成されることを特徴とする請求項３０に記載のデバイス。
【請求項３２】
前記デバイスは、
前記測定を実行するための新しい構成情報を受信し、
前記新しい構成情報を受信すると、以前に受信された前記構成情報を、前記新しい構成情報に置換し、および以前に受信された前記構成情報に整合して実行された前記ネットワーク性能関連指標の前記測定をクリアする
ようにさらに構成されることを特徴とする請求項２６に記載のデバイス。
【請求項３３】
前記表示は、ＲＲＣＣｏｎｎｅｃｔｉｏｎＳｅｔｕｐＣｏｍｐｌｅｔｅメッセージにおいて、前記ネットワーク要素に送信されることを特徴とする請求項２６に記載のデバイス。
【請求項３４】
測定を実行するための構成情報を受信するステップであって、前記構成情報は、測定有効時間を含む、ステップと、
前記構成情報に整合する、ネットワーク性能関連指標の前記測定を実行するステップであって、前記測定は、デバイスが、実行されることになる前記測定に対して認可されたセルまたは公衆地上移動体ネットワーク（ＰＬＭＮ）に接続され、または位置される場合に、実行され、および前記前記測定は、前記測定有効時間が過ぎるまで実行される、ステップと、
ネットワーク要素に前記測定の可用性の表示を送信するステップであって、前記デバイスが、前記測定を報告するために認可された少なくとも１つの報告場所を含むリストに含まれたセルまたはＰＬＭＮに接続される場合に前記表示は送信される、ステップと
を備えたことを特徴とする方法。
【請求項３５】
前記測定は、動作のアイドルモードにおいて実行されたログ型測定であることを特徴とする請求項３４に記載の方法。
【請求項３６】
前記構成情報は、報告有効時間をさらに含むことを特徴とする請求項３４に記載の方法。
【請求項３７】
前記報告有効時間の間、前記ネットワーク性能関連指標の前記測定を記憶するステップをさらに備えたことを特徴とする請求項３６に記載の方法。
【請求項３８】
前記報告有効時間が過ぎた場合に、前記ネットワーク性能関連指標の前記測定を削除するステップをさらに備えたことを特徴とする請求項３７に記載の方法。
【請求項３９】
前記測定を実行するための新しい構成情報を受信ステップと、
前記新しい構成情報を受信すると、以前に受信された前記構成情報を、前記新しい構成情報に置換し、および以前に受信された前記構成情報に整合して実行された前記ネットワーク性能関連指標の前記測定をクリアするステップと
さらに備えたことを特徴とする請求項３４に記載の方法。
【請求項４０】
前記表示は、ＲＲＣＣｏｎｎｅｃｔｉｏｎＳｅｔｕｐＣｏｍｐｌｅｔｅメッセージにおいて、前記ネットワーク要素に送信されることを特徴とする請求項３４に記載の方法。
【請求項４１】
その上に記憶されたコンピュータ実行可能命令を有する非一時的コンピュータ可読記憶媒体であって、前記コンピュータ実行可能命令は、
測定を実行するための構成情報にアクセスすることであって、前記構成情報は、測定有効時間を含むことと、アクセスすることと、
前記構成情報に整合する、ネットワーク性能関連指標の前記測定を実行することであって、前記測定は、デバイスが、実行されることになる前記測定に対して認可されたセルまたは公衆地上移動体ネットワーク（ＰＬＭＮ）に接続され、または位置される場合に、実行され、および前記前記測定は、前記測定有効時間が過ぎるまで実行される、実行することと、
ネットワーク要素に前記測定の可用性の表示を送信することであって、前記デバイスが、前記測定を報告するために認可された少なくとも１つの報告場所を含むリストに含まれたセルまたはＰＬＭＮに接続される場合に前記表示は送信される、送信することと
を実行するための命令を備えたことを特徴とする非一時的コンピュータ可読記憶媒体。
【請求項４２】
前記測定は、動作のアイドルモードにおいて実行されたログ型測定であることを特徴とする請求項４１に記載の非一時的コンピュータ可読記憶媒体。
【請求項４３】
前記構成情報は、報告有効時間をさらに含むことを特徴とする請求項４１に記載の非一時的コンピュータ可読記憶媒体。
【請求項４４】
前記コンピュータ実行可能命令は、前記報告有効時間の間、前記ネットワーク性能関連指標の前記測定を記憶するための命令をさらに備えたことを特徴とする請求項４３に記載の非一時的コンピュータ可読記憶媒体。
【請求項４５】
前記コンピュータ実行可能命令は、前記報告有効時間が過ぎた場合に、前記ネットワーク性能関連指標の前記測定を削除するための命令をさらに備えたことを特徴とする請求項４４に記載の非一時的コンピュータ可読記憶媒体。
【請求項４６】
前記コンピュータ実行可能命令は、
前記測定を実行するための新しい構成情報を受信し、
前記新しい構成情報を受信すると、以前に受信された前記構成情報を、前記新しい構成情報に置換し、および以前に受信された前記構成情報に整合して実行された前記ネットワーク性能関連指標の前記測定をクリアする
ための命令をさらに備えたことを特徴とする請求項４１に記載の非一時的コンピュータ可読記憶媒体。
【請求項４７】
前記表示は、ＲＲＣＣｏｎｎｅｃｔｉｏｎＳｅｔｕｐＣｏｍｐｌｅｔｅメッセージにおいて、前記ネットワーク要素に送信されることを特徴とする請求項４１に記載の非一時的コンピュータ可読記憶媒体。
【請求項４８】
デバイスであって、
測定を実行するための構成情報を受信し、前記構成情報は、測定有効時間および報告有効時間を含み、
前記構成情報に整合する、ネットワーク性能関連指標の前記測定を実行し、前記測定は、前記デバイスが、実行されることになる前記測定に対して認可されたセルまたは公衆地上移動体ネットワーク（ＰＬＭＮ）に接続され、または位置される場合に、実行され、および前記前記測定は、前記測定有効時間が過ぎるまで実行され、
前記報告有効時間の間、前記ネットワーク性能関連指標の前記測定を記憶し、
ネットワーク要素に前記測定の可用性の表示を送信し、前記デバイスが、前記測定を報告するために認可された少なくとも１つの報告場所を含むリストに含まれたセルまたはＰＬＭＮに接続される場合に前記表示は送信され、
前記報告有効時間が過ぎた場合に、前記ネットワーク性能関連指標の前記測定を削除する
ように構成されたことを特徴とするデバイス。
【請求項４９】
前記デバイスは、セルラー電話、携帯情報端末、またはインターネット利用可能無線デバイスのうちの少なくとも１つであることを特徴とする請求項４８に記載のデバイス。
【請求項５０】
前記測定は、前記デバイスが動作のアイドルモードにある場合に実行されたログ型測定であることを特徴とする請求項４８に記載のデバイス。
【請求項５１】
前記デバイスは、
前記測定を実行するための新しい構成情報を受信し、
前記新しい構成情報を受信すると、以前に受信された前記構成情報を、前記新しい構成情報に置換し、および以前に受信された前記構成情報に整合して実行された前記ネットワーク性能関連指標の前記測定をクリアする
ようにさらに構成されることを特徴とする請求項４８に記載のデバイス。
【請求項５２】
前記表示は、ＲＲＣＣｏｎｎｅｃｔｉｏｎＳｅｔｕｐＣｏｍｐｌｅｔｅメッセージにおいて、前記ネットワーク要素に送信されることを特徴とする請求項４８に記載のデバイス。
【請求項５３】
測定を実行するための構成情報を受信するステップであって、前記構成情報は、測定有効時間および報告有効時間を含む、ステップと、
前記構成情報に整合する、ネットワーク性能関連指標の前記測定を実行するステップであって、前記測定は、デバイスが、実行されることになる前記測定に対して認可されたセルまたは公衆地上移動体ネットワーク（ＰＬＭＮ）に接続され、または位置される場合に、実行され、および前記前記測定は、前記測定有効時間が過ぎるまで実行される、ステップと、
前記報告有効時間の間、前記ネットワーク性能関連指標の前記測定を記憶するステップと、
ネットワーク要素に前記測定の可用性の表示を送信するステップであって、前記デバイスが、前記測定を報告するために認可された少なくとも１つの報告場所を含むリストに含まれたセルまたはＰＬＭＮに接続される場合に前記表示は送信される、ステップと
前記報告有効時間が過ぎた場合に、前記ネットワーク性能関連指標の前記測定を削除するステップと
を備えたことを特徴とする方法。
【請求項５４】
前記測定は、動作のアイドルモードにおいて実行されたログ型測定であることを特徴とする請求項５３に記載の方法。
【請求項５５】
前記測定を実行するための新しい構成情報を受信ステップと、
前記新しい構成情報を受信すると、以前に受信された前記構成情報を、前記新しい構成情報に置換し、および以前に受信された前記構成情報に整合して実行された前記ネットワーク性能関連指標の前記測定をクリアするステップと
さらに備えたことを特徴とする請求項５３に記載の方法。
【請求項５６】
前記表示は、ＲＲＣＣｏｎｎｅｃｔｉｏｎＳｅｔｕｐＣｏｍｐｌｅｔｅメッセージにおいて、前記ネットワーク要素に送信されることを特徴とする請求項５３に記載の方法。
【請求項５７】
その上に記憶されたコンピュータ実行可能命令を有するコンピュータ可読記憶媒体であって、前記コンピュータ実行可能命令は、
測定を実行するための構成情報を受信することであって、前記構成情報は、測定有効時間および報告有効時間を含むことと、受信することと、
前記構成情報に整合する、ネットワーク性能関連指標の前記測定を実行することであって、前記測定は、デバイスが、実行されることになる前記測定に対して認可されたセルまたは公衆地上移動体ネットワーク（ＰＬＭＮ）に接続され、または位置される場合に、実行され、および前記前記測定は、前記測定有効時間が過ぎるまで実行される、実行することと、
前記報告有効時間の間、前記ネットワーク性能関連指標の前記測定を記憶することと、
ネットワーク要素に前記測定の可用性の表示を送信することであって、前記デバイスが、前記測定を報告するために認可された少なくとも１つの報告場所を含むリストに含まれたセルまたはＰＬＭＮに接続される場合に前記表示は送信される、送信することと、
前記報告有効時間が過ぎた場合に、前記ネットワーク性能関連指標の前記測定を削除することと
を実行するための命令を備えたことを特徴とするコンピュータ可読記憶媒体。
【請求項５８】
前記測定は、動作のアイドルモードにおいて実行されたログ型測定であることを特徴とする請求項５７に記載のコンピュータ可読記憶媒体。
【請求項５９】
前記コンピュータ実行可能命令は、
前記測定を実行するための新しい構成情報を受信し、
前記新しい構成情報を受信すると、以前に受信された前記構成情報を、前記新しい構成情報に置換し、および以前に受信された前記構成情報に整合して実行された前記ネットワーク性能関連指標の前記測定をクリアする
ための命令をさらに備えたことを特徴とする請求項５７に記載のコンピュータ可読記憶媒体。
【請求項６０】
前記表示は、ＲＲＣＣｏｎｎｅｃｔｉｏｎＳｅｔｕｐＣｏｍｐｌｅｔｅメッセージにおいて、前記ネットワーク要素に送信されることを特徴とする請求項５７に記載のコンピュータ可読記憶媒体。